(57)【要約】      （修正有）【課題】キャリアアグリゲーションシステムにおける、物理下り制御チャネルスケジューリングのブロッキングの確率を低減するための、サーチ空間を決定する。【解決手段】ユーザ装置（ＵＥ）によって、下り制御情報ビットの数を決定するステップ１０１と、データチャネルを運ぶコンポーネントキャリアと、制御チャネルを運ぶコンポーネントキャリアとの間のマッピング関係に従って、制御チャネルに対応する、一時的サーチ空間を決定するステップ１０２と、同じ制御チャネル要素（ＣＣＥ）アグリゲーションレベルを有する制御チャネルについて、下り制御情報ビットの数が、選択された制御チャネル等しい場合、選択された制御チャネルに対応する、実際のサーチ空間が、同じ数の下り制御情報ビットを有する制御チャネルの全て又は一部に対応する、一時的サーチ空間の、和のうちの、ＣＣＥｓの全て又は一部であることを決定するステップ１０３とを含む。【選択図】図１
2015180094.tif 000002
【特許請求の範囲】
【請求項１】
ユーザ装置ＵＥによって現在監視される必要がある各タイプの制御チャネルの、下りリンク制御情報ビットの数を決定し、ここで、制御チャネルのタイプはデータチャネルを運ぶためのコンポートキャリアのインジケータに従って決定され、前記データチャネルのスケジュール情報は前記制御チャネルによって運ばれ、
前記ＵＥによって現在監視される必要がある各タイプの制御チャネルに対応する、制御チャネル要素（ＣＣＥ）の集合を、データチャネルを運ぶためのコンポーネントキャリアと、制御チャネルを運ぶためのコンポーネントキャリアとの間の、マッピング関係（ここで、前記マッピング関係は、前記ＵＥによって現在使用されるものである）に従って決定し、
選択されたタイプの制御チャネル、及び前記選択されたタイプの制御チャネルと異なる、１つ以上の他のタイプの制御チャネルによって形成される制御チャネルセットであって、かつ、前記制御チャネルセットの全ての制御チャネルが、ＵＥによって現在監視される必要がある、かつ、同じＣＣＥアグリゲーションレベルである、前記制御チャネルセットについて、前記選択されたタイプの制御チャネルと、１つ以上の他のタイプの制御チャネルとの、下りリンク制御情報ビットの数が同じである場合、前記選択されたタイプの制御チャネルに対応する、サーチ空間が、前記選択されたタイプの制御チャネルに対応するＣＣＥの集合と、前記制御チャネルセット内の前記１つ以上の他のタイプの制御チャネルに対応する１つ以上のＣＣＥの集合との和集合の、全てのＣＣＥであることを、決定すること
を含む、
サーチ空間を決定する方法。
【請求項２】
他のタイプの制御チャネルの、前記下りリンク制御情報ビットの数が、全て、前記選択されたタイプの制御チャネルの、前記下りリンク制御情報ビットの数と異なる場合、前記選択されたタイプの制御チャネルに対応する、前記サーチ空間は、前記選択されたタイプの制御チャネルに対応する、前記ＣＣＥの集合であるように決定される、
請求項１に記載の方法。
【請求項３】
前記ＵＥによって現在監視される必要がある各タイプの制御チャネルに対応する、前記ＣＣＥの集合が、データチャネルを運ぶための前記コンポーネントキャリアと、制御チャネルを運ぶための前記コンポーネントキャリアとの間の前記マッピング関係（ここで、前記マッピング関係は、前記ＵＥによって現在使用されるものである）に従って決定される前に、前記方法は、
前記ＵＥによって、ＮｏｄｅＢによって送信された第２のマッピング関係指示情報を受信し、ここで、前記第２のマッピング関係指示情報は、前記マッピング関係（ここで、前記マッピング関係は、標準によって予め規定されたマッピング規則の下で、前記ＵＥによって現在使用されるものである）を指示するために使用され、
前記第２のマッピング関係指示情報に従って、かつ、前記マッピング規則に従って、前記ＵＥによって、前記マッピング関係を決定することを更に含み、
前記マッピング規則は、
データチャネルを運ぶためのコンポーネントキャリアが、制御チャネルを運ぶことが可能である場合、データチャネルを運ぶための前記コンポーネントキャリアと、制御チャネルを運ぶための、その、マッピングされたコンポーネントキャリアとは、同じコンポーネントキャリアである、及び、
データチャネルを運ぶための上りリンクコンポーネントキャリアとペアリングされた下りリンクコンポーネントキャリアが、制御チャネルを運ぶことが可能である場合、データチャネルを運ぶための前記上りリンクコンポーネントキャリアと、制御チャネルを運ぶための、その、マッピングされたコンポーネントキャリアとは、同じコンポーネントキャリアペアのコンポーネントキャリアである、及び、
データチャネルを運ぶための、異なるコンポーネントキャリア帯域幅レベルのコンポーネントキャリアは、制御チャネルを運ぶための、コンポーネントキャリアにマッピングされることはできない、及び、
データチャネルを運ぶための、異なる伝送モードのコンポーネントキャリアは、制御チャネルを運ぶための、コンポーネントキャリアにマッピングされることはできない、及び、
データチャネルを運ぶための、異なる周波数帯域のコンポーネントキャリアは、制御チャネルを運ぶための、コンポーネントキャリアにマッピングされることはできない、という規則のうちの少なくとも１つを含む、
請求項１又は２に記載の方法。
【請求項４】
前記ＵＥによって現在監視される必要がある各タイプの制御チャネルに対応する、前記ＣＣＥの集合が、データチャネルを運ぶための前記コンポーネントキャリアと、制御チャネルを運ぶための前記コンポーネントキャリアとの間の前記マッピング関係（ここで、前記マッピング関係は、前記ＵＥによって現在使用されるものである）に従って決定される前に、前記方法は、
前記ＵＥによって、ＮｏｄｅＢによって送信された第１のマッピング関係指示情報を受信し、ここで、前記第１のマッピング関係指示情報は、データチャネルを運ぶためのコンポーネントキャリアと、制御チャネルを運ぶためのコンポーネントキャリアとの間の、複数のマッピング関係（ここで、前記マッピング関係は、前記ＵＥのために現在設定可能なものである）から、前記ＮｏｄｅＢによって選択された、マッピング関係を指示するために使用され、
前記第１のマッピング関係指示情報及び前記複数のマッピング関係に従って、前記ＵＥによって、前記マッピング関係を決定すること
を更に含む、請求項１又は２に記載の方法。
【請求項５】
前記ＵＥによって現在監視される必要がある各タイプの制御チャネルに対応する、前記ＣＣＥの集合を決定することは、
データチャネルを運ぶための各コンポーネントキャリアに対応する、ＣＣＥの集合を決定し、
前記ＵＥによって現在監視される必要がある各タイプの制御チャネルに対応する、前記ＣＣＥの集合を、データチャネルを運ぶための前記コンポーネントキャリアに対応する、制御チャネルと、データチャネルを運ぶための前記コンポーネントキャリアに対応する、前記ＣＣＥの集合とに従って決定すること
を含む、請求項１〜４のいずれか一項に記載の方法。
【請求項６】
ＵＥによって現在監視される必要がある各タイプの制御チャネルの、下りリンク制御情報ビットの数を決定するように構成された、制御情報ビット数決定ユニットであって、ここで、制御チャネルのタイプはデータチャネルを運ぶためのコンポートキャリアのインジケータに従って決定され、前記データチャネルのスケジュール情報は前記制御チャネルによって運ばれる制御情報ビット数決定ユニットと、
前記ＵＥによって現在監視される必要がある各タイプの制御チャネルに対応する、制御チャネル要素（ＣＣＥ）の集合を、データチャネルを運ぶためのコンポーネントキャリアと、制御チャネルを運ぶためのコンポーネントキャリアとの間の、マッピング関係（ここで、前記マッピング関係は、前記ＵＥによって現在使用されるものである）に従って決定するように構成された、一時的サーチ空間決定ユニットと、
選択されたタイプの制御チャネル、及び前記選択されたタイプの制御チャネルと異なる、１つ以上の他のタイプの制御チャネルによって形成される制御チャネルセットであって、かつ、前記制御チャネルセットの全ての制御チャネルが、ＵＥによって現在監視される必要がある、かつ、同じＣＣＥアグリゲーションレベルである、前記制御チャネルセットについて、前記選択されたタイプの制御チャネルと、１つ以上の他のタイプの制御チャネルとの、下りリンク制御情報ビットの数が同じである場合、前記選択されたタイプの制御チャネルに対応する、サーチ空間が、前記選択されたタイプの制御チャネルに対応するＣＣＥの集合と、前記制御チャネルセット内の前記１つ以上の他のタイプの制御チャネルに対応する１つ以上のＣＣＥの集合との和集合の、全てのＣＣＥであることを、決定するように構成された、実際のサーチ空間決定ユニットとを備え、ここで、
前記選択されたタイプの制御チャネル及び前記１つ以上の他のタイプの制御チャネルは、前記制御チャネルセットを形成する前記選択されたタイプの制御チャネルと異なり、前記制御チャネルセットの制御チャネルは、前記ＵＥによって現在監視される必要があり、かつ、前記同じＣＣＥアグリゲーションレベルであり、同じ数の前記下りリンク制御情報ビットを有する、
ユーザ装置。
【請求項７】
前記ユーザ装置は、
標準によって予め規定されたマッピング規則を保存するように構成された、第３の保存ユニットと（ここで、前記マッピング規則は、
データチャネルを運ぶためのコンポーネントキャリアが、制御チャネルを運ぶことが可能である場合、データチャネルを運ぶための前記コンポーネントキャリアと、制御チャネルを運ぶための、その、マッピングされたコンポーネントキャリアとは、同じコンポーネントキャリアである、及び、データチャネルを運ぶための上りリンクコンポーネントキャリアとペアリングされた下りリンクコンポーネントキャリアが、制御チャネルを運ぶことが可能である場合、データチャネルを運ぶための前記上りリンクコンポーネントキャリアと、制御チャネルを運ぶための、その、マッピングされたコンポーネントキャリアとは、コンポーネントキャリアペアのコンポーネントキャリアである、及び、データチャネルを運ぶための、異なるコンポーネントキャリア帯域幅レベルのコンポーネントキャリアは、制御チャネルを運ぶための、コンポーネントキャリアにマッピングされることはできない、及び、データチャネルを運ぶための、異なる伝送モードのコンポーネントキャリアは、制御チャネルを運ぶための、コンポーネントキャリアにマッピングされることはできない、及び、データチャネルを運ぶための、異なる周波数帯域のコンポーネントキャリアは、制御チャネルを運ぶための、コンポーネントキャリアにマッピングされることはできない、という規則のうちの少なくとも１つを含み）、
ＮｏｄｅＢによって送信された、第２のマッピング関係指示情報を受信するように構成された、第２の受信ユニットと（ここで、前記第２のマッピング関係指示情報は、前記マッピング関係（ここで、前記マッピング関係は、前記標準によって予め規定された前記マッピング規則の下で、前記ＵＥによって現在使用されるものである）を指示するために使用され）、
前記第３の保存ユニットによって保存された、前記マッピング規則に従って、データチャネルを運ぶための前記コンポーネントキャリアと、制御チャネルを運ぶための前記コンポーネントキャリアとの間の、複数のマッピング関係（ここで、前記複数のマッピング関係は、前記マッピング規則の下で、現在使用されることが可能なものである）を決定するように、かつ、前記複数のマッピング関係と、前記第２のマッピング関係指示情報とに従って、前記マッピング関係（ここで、前記マッピング関係は、前記ＵＥによって現在使用されるものである）を決定するように構成された、第２のマッピング関係決定ユニットと、
前記ＵＥによって現在監視される必要がある各タイプの制御チャネルに対応する、前記ＣＣＥの集合を、前記第２のマッピング関係決定ユニットによって決定された前記マッピング関係に従って決定するように構成された、一時的サーチ空間決定ユニットと
を更に備える、請求項６に記載のユーザ装置。
【請求項８】
前記ユーザ装置は、
データチャネルを運ぶためのコンポーネントキャリアと、制御チャネルを運ぶためのコンポーネントキャリアとの間の、複数のマッピング関係（ここで、前記複数のマッピング関係は、ＵＥによって現在使用されることが可能なものである）を保存するように構成された、第２の保存ユニットと、
ＮｏｄｅＢによって送信された、第１のマッピング関係指示情報を受信するように構成された、第１の受信ユニットと（ここで、前記第１のマッピング関係指示情報は、前記複数のマッピング関係から、前記ＮｏｄｅＢによって選択された、マッピング関係を指示するために使用されるものであり）、
前記第２の保存ユニットによって保存された、前記複数のマッピング関係と、前記第１のマッピング関係指示情報とに従って、前記マッピング関係を決定するように構成された、第１のマッピング関係決定ユニットと
を更に備え、ここで、前記一時的サーチ空間決定ユニットは、前記ＵＥによって現在監視される必要がある各タイプの制御チャネルに対応する、前記ＣＣＥの集合を、前記第１のマッピング関係決定ユニットによって決定された前記マッピング関係に従って決定するように構成される、
請求項６に記載のユーザ装置。
【請求項９】
請求項１〜請求項５の何れか１項記載の方法の各ステップを実行するように構成されたプロセッサを含むユーザ装置。
【請求項１０】
請求項９記載のユーザ装置と、
ｅＮＢと、
を含むシステム。
【発明の詳細な説明】
【技術分野】
【０００１】
本出願は、２００９年８月２８日に中国専利局に出願された、「ＭＥＴＨＯＤ  ＡＮＤ  ＤＥＶＩＣＥ  ＦＯＲ  ＤＥＴＥＲＭＩＮＩＮＧ  ＳＥＡＲＣＨ  ＳＰＡＣＥ，ＡＮＤ  ＭＥＴＨＯＤ  ＡＮＤ  ＤＥＶＩＣＥ  ＦＯＲ  ＤＥＴＥＲＭＩＮＩＮＧ  ＣＡＮＤＩＤＡＴＥ  ＣＯＮＴＲＯＬ  ＣＨＡＮＮＥＬ  ＲＥＳＯＵＲＣＥＳ（サーチ空間を決定する方法及び装置、並びに候補制御チャネルリソースを決定する方法及び装置）」と題された、中国特許出願第２００９１０１６６８６０．１号の優先権を主張するものであり、当該出願はその全体が参照によって本明細書中に援用される。
【０００２】
本発明は、無線通信技術の分野に関し、特に、サーチ空間を決定する方法、ユーザ装置、及びシステムに関する。
【背景技術】
【０００３】
ロングタームエボリューション（Ｌｏｎｇ  Ｔｅｒｍ  Ｅｖｏｌｕｔｉｏｎ、ＬＴＥ）システムにおいて、サービスデータを受信又は送信する前に、ユーザ装置（Ｕｓｅｒ  Ｅｑｕｉｐｍｅｎｔ、ＵＥ）は、ユーザ装置のために発展型ノードＢ（Ｅｖｏｌｖｅｄ  ＮｏｄｅＢ、ｅＮＢ）によって設定された、下りリンク制御情報（Ｄｏｗｎｌｉｎｋ  Ｃｏｎｔｒｏｌ  Ｉｎｆｏｒｍａｔｉｏｎ、ＤＣＩ）を取得する必要があり、ＤＣＩは、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）によって運ばれる。１つのＰＤＣＣＨは、１つ、２つ、４つ、又は８つの連続した制御チャネル要素（Ｃｏｎｔｒｏｌ  Ｃｈａｎｎｅｌ  Ｅｌｅｍｅｎｔ、ＣＣＥ）をアグリゲートすることによって形成される。（表１に示すように）各アグリゲーションレベル（ａｇｇｒｅｇａｔｉｏｎ  ｌｅｖｅｌ）は、１つのサーチ空間に対応し、アグリゲーションレベルは、１つのＰＤＣＣＨを形成するために、いくつのＣＣＥがアグリゲートされるかを示す。サーチ空間は、ＵＥの、検出されるＰＤＣＣＨのセット（ｔｏ−ｂｅ−ｄｅｔｅｃｔｅｄ  ＰＤＣＣＨ  ｓｅｔ）である。共通サーチ空間（Ｃｏｍｍｏｎ  ｓｅａｒｃｈ  ｓｐａｃｅ）、及びユーザ装置固有サーチ空間（ＵＥ  ｓｐｅｃｉｆｉｃ  ｓｅａｒｃｈ  ｓｐａｃｅ）という、２つのタイプのサーチ空間が存在する。
【表１】
2015180094.tif 000003
【発明の概要】
【発明が解決しようとする課題】
【０００４】
関連技術は、以下の欠点を有する。
【０００５】
キャリアアグリゲーション（ｃａｒｒｉｅｒ  ａｇｇｒｅｇａｔｉｏｎ、ＣＡ）システムにおいて、ユーザ装置は、複数のコンポーネントキャリア（ｃｏｍｐｏｎｅｎｔ  ｃａｒｒｉｅｒ、ＣＣ）を、データチャネルを運ぶために、同時に使用する場合がある。１つのＤＣＩが、１つのコンポーネントキャリア上で運ばれるデータのスケジューリング、又は、電力制御の指示のために設定され、異なるＤＣＩは、異なるＰＤＣＣＨによって運ばれる。ＰＤＣＣＨが、制御チャネルを運ぶための１つのコンポーネントキャリアによって、又は、制御チャネルを運ぶための少数のコンポーネントキャリアによって運ばれる場合、関連技術において規定されたサーチ空間のサイズは限られているため、ＰＤＣＣＨスケジューリングのブロッキング確率は非常に高い。
【課題を解決するための手段】
【０００６】
本発明は、キャリアアグリゲーションシステムにおけるＰＤＣＣＨスケジューリングのブロッキング確率を減らすための、サーチ空間を決定する方法及び装置、並びに候補制御チャネルリソースを決定する方法及び装置を提供する。
【０００７】
従って、本発明の実施形態は、以下を提供する。
【０００８】
サーチ空間を決定する方法は、
ユーザ装置（ＵＥ）によって現在監視される必要がある各タイプの制御チャネルの、下りリンク制御情報ビットの数を決定し、
ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ＵＥによって現在使用されるものである）に従って決定し、
ＵＥによって現在監視される必要がある、かつ、同じ制御チャネル要素（ＣＣＥ）アグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、全てのＣＣＥｓであることを、又は、同じ数の下りリンク制御情報ビットを有する制御チャネルの全て又は一部に対応する、一時的サーチ空間の、結合（ｕｎｉｏｎ）の、ＣＣＥｓの一部であることを、決定すること
を含み、ここで、
１つ以上の他のタイプの制御チャネルは、選択されたタイプの制御チャネルを除く、ＵＥによって現在監視される必要がある、かつ、同じＣＣＥアグリゲーションレベルである、制御チャネルのうちの、１つ以上のタイプの制御チャネルであり、同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【０００９】
候補制御チャネルリソースを決定する方法は、
ＵＥのために現在設定可能な各タイプの制御チャネルの、下りリンク制御情報ビットの数を決定し、
ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ＵＥのために現在設定されているものである）に従って決定し、
ＵＥのために現在設定可能である、かつ、同じＣＣＥアグリゲーションレベルである、制御チャネルについて、他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、全てのＣＣＥｓであることを、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることを、決定すること
を含み、ここで、１つ以上の他のタイプの制御チャネルは、選択されたタイプの制御チャネルを除く、ＵＥのために現在設定可能である、かつ、同じＣＣＥアグリゲーションレベルの、制御チャネルのうちの、１つ以上のタイプの制御チャネルであり、同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【００１０】
ＵＥは、
ＵＥによって現在監視される必要がある各タイプの制御チャネルの、下りリンク制御情報ビットの数を決定するように構成された、制御情報ビット数決定ユニットと、
ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ＵＥによって現在使用されるものである）に従って決定するように構成された、一時的サーチ空間決定ユニットと、
同じＣＣＥアグリゲーションレベルの制御チャネルについて、他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、全てのＣＣＥｓであることを、又は、同じ数の下りリンク制御情報ビットを有する制御チャネルの全て又は一部に対応する、一時的サーチ空間の、結合（ｕｎｉｏｎ）の、ＣＣＥｓの一部であることを、決定するように構成された、実際のサーチ空間決定ユニットとを含み、ここで、１つ以上の他のタイプの制御チャネルは、選択されたタイプの制御チャネルを除く、ＵＥによって現在監視される必要がある、かつ、同じＣＣＥアグリゲーションレベルである、制御チャネルのうちの、１つ以上のタイプの制御チャネルであり、同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【００１１】
ＮｏｄｅＢは、
ＵＥのために現在設定可能な各タイプの制御チャネルの、下りリンク制御情報ビットの数を決定するように構成された、制御情報ビット数決定ユニットと、
ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ＵＥのために現在設定されているものである）に従って決定するように構成された、一時的候補制御チャネルリソース決定ユニットと、
同じＣＣＥアグリゲーションレベルの制御チャネルについて、他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、全てのＣＣＥｓであることを、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることを、決定するように構成された、実際の候補制御チャネルリソース決定ユニットとを含み、ここで、１つ以上の他のタイプの制御チャネルは、選択されたタイプの制御チャネルを除く、ＵＥのために現在設定可能である、かつ、同じＣＣＥアグリゲーションレベルの、１つ以上のタイプの制御チャネルであり、同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【発明の効果】
【００１２】
本発明の一実施形態によれば、ＵＥによって現在監視される必要がある制御チャネルに対応する、一時的サーチ空間が、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的サーチ空間は、異なる可能性がある。ＵＥによって現在監視される必要がある、かつ、同じＣＣＥアグリゲーションレベルの、制御チャネルについて、１つ以上の他の制御チャネルの、下りリンク制御情報ビットの数が、選択されたタイプの制御チャネルの、下りリンク制御情報ビットの数と同じである場合、選択されたタイプの制御チャネルに対応する、実際のサーチ空間は、
同じ数の下りリンク制御情報ビットを有する制御チャネルの全て又は一部に対応する、一時的サーチ空間の、結合（ｕｎｉｏｎ）の、全てのＣＣＥｓであることが、又は、同じ数の下りリンク制御情報ビットを有する制御チャネルの全て又は一部に対応する、一時的サーチ空間の、結合（ｕｎｉｏｎ）の、ＣＣＥｓの一部であることが、決定される。加えて、データチャネルを運ぶための、異なるコンポーネントキャリアに対応する、制御チャネルの、一時的サーチ空間は、異なる可能性があり、従って、結合（ｃｏｍｂｉｎｉｎｇ）の後、制御チャネルに対応するサーチ空間は、拡大される。従って、キャリアアグリゲーションシステムにおいて、制御チャネルに対応する、実際のサーチ空間内での、制御チャネルスケジューリングのブロッキング確率が減少し、ＵＥ側での、制御チャネルのブラインドデコーディングの数は増加しない。
【００１３】
本発明の別の実施形態によれば、ＵＥのために現在設定可能な制御チャネルに対応する、一時的候補制御チャネルリソースが、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的候補制御チャネルリソースは、異なる可能性がある。ＵＥのために現在設定可能である、かつ、同じ制御チャネル要素（ＣＣＥ）アグリゲーションレベルの、制御チャネルについて、１つ以上の他の制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースは、同じ数の下りリンク制御情報ビットを有する制御チャネルの全て又は一部に対応する、一時的候補制御チャネルリソースの、結合（ｕｎｉｏｎ）の、全てのＣＣＥｓであることが、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることが、決定される。加えて、データチャネルを運ぶための、異なるコンポーネントキャリアに対応する、制御チャネルの、一時的候補制御チャネルリソースは、異なる可能性があり、従って、結合（ｃｏｍｂｉｎｉｎｇ）の後、制御チャネルに対応する候補制御チャネルリソースは、拡大される。従って、キャリアアグリゲーションシステムにおいて、制御チャネルに対応する、実際の候補制御チャネルリソース内での、制御チャネルスケジューリングのブロッキングの確率が減少する。
【００１４】
本発明の実施形態による、又は従来技術における、技術的解決法を、より明確に説明するために、実施形態、又は従来技術を説明するための、添付の図面について、以下に簡単に述べる。明らかに、以下の説明における添付の図面は、本発明のいくつかの実施形態にすぎず、当業者は、添付の図面から、創造的な活動なしに、他の図面を導き出すことが可能である。
【図面の簡単な説明】
【００１５】
【図１】本発明の実施形態１による、サーチ空間を決定する方法のフローチャートである。
【図２】本発明の実施形態２による、制御チャネルを監視する方法のフローチャートである。
【図３】本発明の実施形態による、データチャネルを運ぶためのコンポーネントキャリアと、順序番号との間の対応関係の概略図である。
【図４】本発明の実施形態による、データチャネルを運ぶためのコンポーネントキャリアと、制御チャネルを運ぶためのコンポーネントキャリアとの間のマッピング関係（ここで、マッピング関係は、関数関係に従って取得される）の概略図である。
【図５】本発明の実施形態による、データチャネルを運ぶためのコンポーネントキャリアの一時的サーチ空間、及びＤＣＩフォーマットの、概略図である。
【図６】本発明の実施形態による、サーチ空間の拡張の概略図である。
【図７】本発明の実施形態３による、候補制御チャネルリソースを決定する方法のフローチャートである。
【図８】本発明の実施形態４による、下りリンク制御情報を送信する方法の概略図である。
【図９Ａ】本発明の実施形態５によるユーザ装置の構成図である。
【図９Ｂ】本発明の実施形態５によるユーザ装置の別の構成図である。
【図９Ｃ】本発明の実施形態５によるユーザ装置の更に別の構成図である。
【図１０Ａ】本発明の実施形態６によるＮｏｄｅＢの構成図である。
【図１０Ｂ】本発明の実施形態６によるＮｏｄｅＢの別の構成図である。
【図１０Ｃ】本発明の実施形態６によるＮｏｄｅＢの更に別の構成図である。
【発明を実施するための形態】
【００１６】
本発明の実施形態をよりわかりやすくするために、制御チャネルを運ぶためのコンポーネントキャリアのサーチ空間、及びシステム内のＤＣＩフォーマットの、適用例について、最初に、以下に簡単に述べる。
【００１７】
システムは、下りリンクデータを送信するために、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を使用し、下りリンクデータは、ＮｏｄｅＢから、ＵＥに送信される。システムは、上りリンクデータを送信するために、物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を使用し、上りリンクデータは、ＵＥによって、ＮｏｄｅＢに送信される。下りリンクデータを受信、又は上りリンクデータを送信する前に、ＵＥは、ＵＥのためにＮｏｄｅＢによって設定された、時間−周波数リソース割り当て、並びに変調及び符号化方式などの、スケジューリング情報（ｓｃｈｅｄｕｌｉｎｇ  ｉｎｆｏｒｍａｔｉｏｎ）を知る必要がある。加えて、ＮｏｄｅＢは、上りリンク伝送に関連する電力制御コマンド（ｐｏｗｅｒ  ｃｏｎｔｒｏｌ  ｃｏｍｍａｎｄｓ）の情報を、ＵＥに知らせる必要もある。スケジューリング情報、及び電力制御コマンドの情報は、下りリンク制御情報（ＤＣＩ）に属する。下りリンク制御情報のフォーマットは、ＤＣＩフォーマットと呼ばれる。ＮｏｄｅＢによってＵＥのために現在設定可能なＤＣＩフォーマット、又はＵＥによって現在監視される必要があるＤＣＩフォーマットは、現在の伝送モードに従って決定される。各ＤＣＩフォーマットに含まれていなければならない下りリンク制御情報ビットは、予め規定されており、本発明では、オリジナル下りリンク制御情報ビットと呼ばれる。従って、各ＤＣＩフォーマットに含まれていなければならない下りリンク制御情報ビットの数は、オリジナル下りリンク制御情報ビットの数と呼ばれる。ＮｏｄｅＢは、候補制御チャネルリソースから、制御チャネルを選択し、選択されたタイプの制御チャネルを介して、ＵＥに、下りリンク制御情報を送信し、これにより、ＵＥは、下りリンク制御情報に従って、下りリンクデータを受信、又は上りリンクデータを送信することが可能である。現在監視される必要がある各タイプの制御チャネルの、下りリンク制御情報ビットの数（すなわち、下りリンク制御情報のペイロードサイズ）に従って、ＵＥは、対応するサーチ空間に含まれる全ての制御チャネルをブラインドデコードして、ＣＲＣをパスした下りリンク制御情報を見付ける。
【００１８】
本発明では、制御チャネルは、ＰＤＣＣＨを意味し、制御チャネルの下りリンク制御情報ビットの数は、制御チャネルによって運ばれるＤＣＩの情報ビットの数である。異なるキャリア帯域幅、異なるＤＣＩフォーマット、又は異なる伝送アンテナ数は、ＤＣＩの、異なる情報ビット数に対応する可能性がある。異なるタイプの制御チャネルを区別するために、以下の特徴が使用される。
【００１９】
１）異なる数のＣＣＥによってアグリゲートされた制御チャネルは、異なる制御チャネルタイプである。制御チャネルは、ｍ個の連続したＣＣＥによってアグリゲートされ、ｍは、正の整数（１、２、４、又は８など）であり、本発明では、ｍの値は限定されない。
【００２０】
２）異なるＤＣＩフォーマットに対応する制御チャネルは、異なる制御チャネルである。制御チャネルによって運ばれるＤＣＩのフォーマットは、標準によって規定されたＤＣＩフォーマットであってもよい。
【００２１】
３）データチャネルを運ぶための、異なるコンポーネントキャリアは、異なる制御チャネルタイプに対応する。
【００２２】
ＵＥによって現在監視される必要がある制御チャネル、又はＮｏｄｅＢによって現在設定可能な制御チャネルは、様々な数のＣＣＥをアグリゲートすることによって形成された制御チャネルを含んでもよく、又は、様々なＤＣＩフォーマットに対応する制御チャネルを含んでもよく、又は、データチャネルを運ぶための様々なコンポーネントキャリアに対応する制御チャネルを含んでもよい。例えば、データチャネルを運ぶための、かつ、ＵＥによって現在監視される必要がある（すなわち、ＮｏｄｅＢによって設定されることが可能な）、コンポーネントキャリアの数は、２である（ＣＣ１、及びＣＣ２)。ＣＣ１の伝送モードは、下りリンクシングルアンテナ伝送であり、対応するＤＣＩフォーマットは、ＤＣＩフォーマット１、及びＤＣＩフォーマット１Ａである。ＣＣ２の伝送モードは、閉ループ空間分割多重であり、対応するＤＣＩフォーマットは、ＤＣＩフォーマット２、及びＤＣＩフォーマット１Ａである。現在サポートされるＣＣＥアグリゲーションレベルが４及び８であると仮定すると、次の８つのタイプの制御チャネルが、ＵＥによって現在監視される必要がある（すなわち、ＵＥのためにＮｏｄｅＢによって設定されることが可能である）。（１）ＣＣ１に対応し、ＣＣＥアグリゲーションレベルが４であり、ＤＣＩフォーマット１に対応する、制御チャネル、（２）ＣＣ１に対応し、ＣＣＥアグリゲーションレベルが８であり、ＤＣＩフォーマット１に対応する、制御チャネル、（３）ＣＣ１に対応し、ＣＣＥアグリゲーションレベルが４であり、ＤＣＩフォーマット１Ａに対応する、制御チャネル、（４）ＣＣ１に対応し、ＣＣＥアグリゲーションレベルが８であり、ＤＣＩフォーマット１Ａに対応する、制御チャネル、（５）ＣＣ２に対応し、ＣＣＥアグリゲーションレベルが４であり、ＤＣＩフォーマット２に対応する、制御チャネル、（６）ＣＣ２に対応し、ＣＣＥアグリゲーションレベルが８であり、ＤＣＩフォーマット２に対応する、制御チャネル、（７）ＣＣ２に対応し、ＣＣＥアグリゲーションレベルが４であり、ＤＣＩフォーマット１Ａに対応する、制御チャネル、及び、８）ＣＣ２に対応し、ＣＣＥアグリゲーションレベルが８であり、ＤＣＩフォーマット１Ａに対応する、制御チャネル。
【００２３】
本発明における候補制御チャネルリソースは、ＵＥのためにＮｏｄｅＢによって設定されることが可能な、候補制御チャネルのセットであり、ＣＣＥに従って規定される論理リソースのセットであり、そして、候補制御チャネルリソースの開始ＣＣＥ番号と、ＣＣＥの数と、本発明によって限定されない、候補制御チャネルリソースを表すその他のパラメータとを含む。各タイプの制御チャネルは、１つの候補制御チャネルセットに対応することに留意されたい。サーチ空間は、ＣＣＥに従って規定される論理リソースのセットであり、監視される必要がある制御チャネルのセットであり、そして、サーチ空間の開始ＣＣＥ番号と、ＣＣＥの数と、本発明によって限定されない、サーチ空間を表すその他のパラメータとを含む。各タイプの制御チャネルは、１つのサーチ空間に対応することに留意されたい。同じ制御チャネルについて、候補制御チャネルリソースがサーチ空間より大きいことは不可能であり、すなわち、ＮｏｄｅＢによって設定されることが可能な候補制御チャネルセットは、ＵＥによって監視される必要がある制御チャネルセットと等しい、又は、ＮｏｄｅＢによって設定されることが可能な候補制御チャネルセットは、ＵＥによって監視される必要がある制御チャネルセットのサブセットである。サーチ空間は、共通サーチ空間（Ｃｏｍｍｏｎ  ｓｅａｒｃｈ  ｓｐａｃｅ）と、ユーザ装置固有サーチ空間（ＵＥ  ｓｐｅｃｉｆｉｃ  ｓｅａｒｃｈ  ｓｐａｃｅ）とに分類されてもよい。本発明のサーチ空間は、ＵＥ固有サーチ空間を意味する。共通サーチ空間の決定は、本発明による方法を使用することによって実行されても、されなくてもよく、これは本発明によって限定されない。
【００２４】
実施形態１
図１を参照すると、本発明の実施形態１によって、サーチ空間を決定する方法が提供され、この方法は以下を含む。
【００２５】
１０１：ＵＥによって現在監視される必要がある各タイプの制御チャネルの、下りリンク制御情報ビットの数を決定する。
【００２６】
ＵＥによって現在監視される必要がある各タイプの制御チャネルの、下りリンク制御情報ビットの数は、下りリンク制御情報ビットの数の設定規則と、ＵＥによって現在監視される必要がある各タイプの制御チャネルによって運ばれるＤＣＩのフォーマットとに従って決定されてもよい。下りリンク制御情報ビットの数の設定規則は、複数のＤＣＩフォーマットの下りリンク制御情報ビットの数が、同じであることを指定する規則である。複数のＤＣＩフォーマットのオリジナル下りリンク制御情報ビットの数は、同じではない可能性がある。規則は、この場合に、ＤＣＩフォーマットの下りリンク制御情報ビットの数が、同じであるように設定されなければならないことを指定する。具体的には、ＤＣＩフォーマットの下りリンク制御情報ビットの数は、冗長情報ビット、又は付加的な有用情報ビットを追加することによって、同じであるように設定されてもよい。
【００２７】
下りリンク制御情報ビットの数の設定規則は、以下の規則のうちの少なくとも１つを含む。
【００２８】
同じ周波数領域リソース割り当て手法に対応するＤＣＩフォーマットの、下りリンク制御情報ビットの数は、同じである。
【００２９】
周波数領域リソース割り当て手法が同じである、かつ、指示可能なトランスポートブロックの最大数が同じであるＤＣＩフォーマットの、下りリンク制御情報ビットの数は、同じである。
【００３０】
現在設定されている様々なリソース条件の下で、同じＤＣＩフォーマットに対応する下りリンク制御情報ビットの数の間の差が、予め設定された値より小さい場合、ＤＣＩフォーマットの下りリンク制御情報ビットの数は、ユニークな値であるように設定される。
【００３１】
１０２：ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ＵＥによって現在使用されるものである）に従って決定する。
【００３２】
制御チャネルを運ぶためのコンポーネントキャリアは、第１のキャリアセットのコンポーネントキャリアであり、第１のキャリアセットは、制御チャネルを送信するために使用される、コンポーネントキャリアのセットである。データチャネルを運ぶためのコンポーネントキャリアは、第２のキャリアセットのコンポーネントキャリアであり、第２のキャリアセットは、下りリンクコンポーネントキャリアセット、及び／又は、上りリンクコンポーネントキャリアセットである。ユーザ装置は、下りリンクコンポーネントキャリアセットの、任意の１つ以上の下りリンクコンポーネントキャリア上で、ＰＤＳＣＨを受信してもよい。ユーザ装置は、上りリンクコンポーネントキャリアセットの、任意の１つ以上の上りリンクコンポーネントキャリア上で、ＰＵＳＣＨを送信してもよい。
【００３３】
データチャネルを運ぶためのコンポーネントキャリアと、制御チャネルを運ぶためのコンポーネントキャリアとの間のマッピング関係（ここで、マッピング関係は、ＵＥによって現在使用されるものである）は、１対１関係、又は、多対１関係であってもよい。
【００３４】
具体的には、データチャネルを運ぶためのコンポーネントキャリアと、制御チャネルを運ぶためのコンポーネントキャリアとの間のマッピング関係（ここで、マッピング関係は、ＵＥによって現在使用されるものである）が１対１である場合、時分割複信（Ｔｉｍｅ  Ｄｉｖｉｓｉｏｎ  Ｄｕｐｌｅｘ、ＴＤＤ）については、データチャネルを運ぶためのコンポーネントキャリアと、制御チャネルを運ぶための、その、マッピングされたコンポーネントキャリアとは、同じコンポーネントキャリアであり、周波数分割複信（Ｆｒｅｑｕｅｎｃｙ  Ｄｉｖｉｓｉｏｎ  Ｄｕｐｌｅｘ、ＦＤＤ）については、データチャネルを運ぶためのコンポーネントキャリアが、上りリンクデータチャネルを運ぶためのコンポーネントキャリアである場合、上りリンクデータチャネルを運ぶためのコンポーネントキャリアと、制御チャネルを運ぶための、その、マッピングされたコンポーネントキャリアとは、同じコンポーネントキャリアペアのコンポーネントキャリアであり、データチャネルを運ぶためのコンポーネントキャリアが、下りリンクデータチャネルを運ぶためのコンポーネントキャリアである場合、下りリンクデータチャネルを運ぶためのコンポーネントキャリアと、制御チャネルを運ぶための、その、マッピングされたコンポーネントキャリアとは、同じコンポーネントキャリアである。下りリンクコンポーネントキャリアと、その、ペアリングされた上りリンクコンポーネントキャリアとは、コンポーネントキャリアペアと呼ばれる。具体的には、ペアリングは、規定された複信間隔（すなわち、上りリンクコンポーネントキャリアと、下りリンクコンポーネントキャリアとの間のキャリア周波数間隔）に従って実行されてもよく、本発明では、ペアリングの方法は限定されない。
【００３５】
具体的には、データチャネルを運ぶためのコンポーネントキャリアと、制御チャネルを運ぶためのコンポーネントキャリアとの間のマッピング関係（ここで、マッピング関係は、ＵＥによって現在使用されるものである）が多対１関係である場合、時分割複信（Ｔｉｍｅ  Ｄｉｖｉｓｉｏｎ  Ｄｕｐｌｅｘ、ＴＤＤ）については、データチャネルを運ぶためのコンポーネントキャリアと、制御チャネルを運ぶための、その、マッピングされたコンポーネントキャリアとは、同じコンポーネントキャリアであってもよく、又は、同じコンポーネントキャリアでなくてもよく、周波数分割複信（Ｆｒｅｑｕｅｎｃｙ  Ｄｉｖｉｓｉｏｎ  Ｄｕｐｌｅｘ、ＦＤＤ）については、データチャネルを運ぶためのコンポーネントキャリアが、上りリンクデータチャネルを運ぶためのコンポーネントキャリアである場合、上りリンクデータチャネルを運ぶためのコンポーネントキャリアと、制御チャネルを運ぶための、その、マッピングされたコンポーネントキャリアとは、同じコンポーネントキャリアペアのコンポーネントキャリアであってもよく、又は、同じコンポーネントキャリアペアのコンポーネントキャリアでなくてもよく、データチャネルを運ぶためのコンポーネントキャリアが、下りリンクデータチャネルを運ぶためのコンポーネントキャリアである場合、下りリンクデータチャネルを運ぶためのコンポーネントキャリアと、制御チャネルを運ぶための、その、マッピングされたコンポーネントキャリアとは、同じコンポーネントキャリアであってもよく、又は、同じコンポーネントキャリアでなくてもよい。
【００３６】
このステップにおいて、データチャネルを運ぶためのコンポーネントキャリアと、制御チャネルを運ぶためのコンポーネントキャリアとの間のマッピング関係（ここで、マッピング関係は、ＵＥによって現在使用されるものである）は、標準によって予め規定されてもよく、また、このステップの前に、ＵＥによって受信された、かつ、ＮｏｄｅＢによって送信された、第１のマッピング関係指示情報によって指示されてもよい。第１のマッピング関係指示情報は、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）から、ＮｏｄｅＢによって選択された、マッピング関係を指示するために使用される。ＵＥは、データチャネルを運ぶためのコンポーネントキャリアと、制御チャネルを運ぶためのコンポーネントキャリアとの間のマッピング関係（ここで、マッピング関係は、ＵＥによって現在使用されるものである）を、第１のマッピング関係指示情報に従って、かつ、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）に従って、決定する。標準によって予め規定されたマッピング関係は、通信標準又はプロトコルによって規定されたマッピング関係である。
【００３７】
あるいは、このステップの前に、ＵＥは、ＮｏｄｅＢによって送信された、第２のマッピング関係指示情報を受信する。第２のマッピング関係指示情報は、データチャネルを運ぶためのコンポーネントキャリアと、制御チャネルを運ぶためのコンポーネントキャリアとの間のマッピング関係（ここで、マッピング関係は、標準によって予め規定されたマッピング規則の下で、ＵＥによって現在使用されるものである）を指示するために使用される。標準によって予め規定されたマッピング規則は、通信標準又はプロトコルによって規定されたマッピング規則であり、マッピング規則は、以下の規則のうちの少なくとも１つを含む。データチャネルを運ぶためのコンポーネントキャリアが、制御チャネルを運ぶことが可能である場合、データチャネルを運ぶためのコンポーネントキャリアと、制御チャネルを運ぶための、その、マッピングされたコンポーネントキャリアとは、同じコンポーネントキャリアである、又は、データチャネルを運ぶための上りリンクコンポーネントキャリアとペアリングされた下りリンクコンポーネントキャリアが、制御チャネルを運ぶことが可能である場合、データチャネルを運ぶための上りリンクコンポーネントキャリアと、制御チャネルを運ぶための、その、マッピングされたコンポーネントキャリアとは、同じコンポーネントキャリアペアのコンポーネントキャリアである、又は、データチャネルを運ぶための、異なるコンポーネントキャリア帯域幅レベルのコンポーネントキャリアは、制御チャネルを運ぶための、同じコンポーネントキャリアにマッピングされることはできない、又は、データチャネルを運ぶための、異なる伝送モードのコンポーネントキャリアは、制御チャネルを運ぶための、同じコンポーネントキャリアにマッピングされることはできない、又は、データチャネルを運ぶための、異なる周波数帯域のコンポーネントキャリアは、制御チャネルを運ぶための、同じコンポーネントキャリアにマッピングされることはできない。
【００３８】
１０３：ＵＥによって現在監視される必要がある、かつ、同じ制御チャネル要素（ＣＣＥ）アグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、全てのＣＣＥｓであることを、又は、同じ数の下りリンク制御情報ビットを有する制御チャネルの全て又は一部に対応する、一時的サーチ空間の、結合（ｕｎｉｏｎ）の、ＣＣＥｓの一部であることを、決定する。
【００３９】
１つ以上の他のタイプの制御チャネルは、選択されたタイプの制御チャネルを除く、ＵＥによって現在監視される必要がある、かつ、同じＣＣＥアグリゲーションレベルである、制御チャネルのうちの、１つ以上のタイプの制御チャネルである。同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【００４０】
本発明の実施形態１によれば、ＵＥによって現在監視される必要がある制御チャネルに対応する、一時的サーチ空間が、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的サーチ空間は、異なる可能性がある。ＵＥによって現在監視される必要がある、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間は、同じ数の下りリンク制御情報ビットを有する制御チャネルの全て又は一部に対応する、一時的サーチ空間の、結合（ｕｎｉｏｎ）の、ＣＣＥｓの全てであることが、又は、同じ数の下りリンク制御情報ビットを有する制御チャネルの全て又は一部に対応する、一時的サーチ空間の、結合（ｕｎｉｏｎ）の、ＣＣＥｓの一部であることが、決定される。加えて、データチャネルを運ぶための、異なるコンポーネントキャリアに対応する、制御チャネルの、一時的サーチ空間は、異なる可能性があり、従って、結合（ｃｏｍｂｉｎｉｎｇ）の後、制御チャネルに対応するサーチ空間は、拡大される。従って、キャリアアグリゲーションシステムにおいて、制御チャネルに対応する、実際のサーチ空間内での、制御チャネルスケジューリングのブロッキング確率が減少し、ＵＥ側での、制御チャネルのブラインドデコーディングの数は増加しない。
【００４１】
実施形態２
図２を参照すると、本発明の実施形態２によって、制御チャネルを監視する方法が提供される。この実施形態では、サーチ空間の決定について、ＵＥ側の観点から主として説明され、この方法は、具体的には以下を含む。
【００４２】
２０１：ＵＥは、データチャネルを運ぶためのコンポーネントキャリアと、制御チャネルを運ぶためのコンポーネントキャリアとの間のマッピング関係（ここで、マッピング関係は、ＵＥによって現在使用されるものである）を決定する。
【００４３】
具体的には、ＵＥによって、データチャネルを運ぶためのコンポーネントキャリアと、制御チャネルを運ぶためのコンポーネントキャリアとの間のマッピング関係（ここで、マッピング関係は、ＵＥによって現在使用されるものである）を決定することは、以下の手法で実施されてもよい。
【００４４】
第１の手法は、以下の通りである。データチャネルを運ぶためのコンポーネントキャリアと、制御チャネルを運ぶためのコンポーネントキャリアとの間のマッピング関係は、予め規定されてもよく、ここで、予め規定されたマッピング関係は、通信標準又はプロトコルによって規定される。このステップにおいて、ＵＥは、第１のキャリアセット内のどのコンポーネントキャリアに、第２のキャリアセットの各コンポーネントキャリアがマッピングされるか（すなわち、対応するか）を、標準によって予め規定されたマッピング関係に従って決定する。
【００４５】
データチャネルを運ぶためのコンポーネントキャリアと、制御チャネルを運ぶためのコンポーネントキャリアとの間の、標準で予め規定されたマッピング関係は、関数関係であってもよい。例えば、関数関係は、以下の式を含む（但し、これに限定されない）。ＩＰＤＣＣＨ−ＣＣ（ｋ）＝（ｆｌｏｏｒ（ｃ×ｋ＋δ））  ｍｏｄ  ＮＰＤＣＣＨ−ＣＣ、ここで、ｋは、第２のキャリアセット内の、データチャネルを運ぶためのコンポーネントキャリアの順序番号であり、ｋは整数であり、ＩＰＤＣＣＨ−ＣＣ（ｋ）は、第１のキャリアセット内の、制御チャネルを運ぶためのコンポーネントキャリアの順序番号であり、ＩＰＤＣＣＨ−ＣＣ（ｋ）は整数である。第１のキャリアセット、及び／又は、第２のキャリアセット内の、コンポーネントキャリアの順序番号は、コンポーネントキャリアのインジケータ、又はコンポーネントキャリアのキャリア周波数、又はその他の規則に従って、配列されてもよい。加えて、第２のキャリアセットが、下りリンクコンポーネントキャリアセットと、上りリンクコンポーネントキャリアセットとの、結合（ｕｎｉｏｎ）である場合、同じコンポーネントキャリアペアの、上りリンクコンポーネントキャリアの順序番号と、下りリンクコンポーネントキャリアの順序番号とは、同じであってもよい。例えば、図３に示すように、配列は、最初に、下りリンクコンポーネントキャリアのインジケータ又はキャリア周波数に従って実行されてもよい。アレイ内の、下りリンクコンポーネントキャリアとペアリングされた、上りリンクコンポーネントキャリアの位置は、下りリンクコンポーネントキャリアの位置と同じであるように配列される。どの下りリンクコンポーネントキャリアともペアリングされていない上りリンクコンポーネントキャリアは、上りリンクコンポーネントキャリアのインジケータ又はキャリア周波数に従って、アレイ内に配置される。次に、アレイの順序に従って、コンポーネントキャリアに順序番号が提供され、本発明では、順序番号の配列については限定されない。更に、ｍｏｄは、モジュロ演算を表す。ＮＰＤＣＣＨ−ＣＣは、第１のキャリアセット内のコンポーネントキャリアの数を表す。δは、オフセット（すなわち、順序番号が０の、データチャネルを運ぶためのコンポーネントキャリアが、制御チャネルを運ぶためのコンポーネントキャリアにマッピングされる、制御チャネルを運ぶためのコンポーネントキャリアの順序番号に関しての）を表す整数であり、異なるシナリオ要件に応じて、異なるオフセットが設定されてもよい。例えば、順序番号が０の、データチャネルを運ぶためのコンポーネントキャリアと、順序番号が１の、制御チャネルを運ぶためのコンポーネントキャリアとが、同じコンポーネントキャリアである場合、データチャネルを運ぶためのコンポーネントキャリアと、制御チャネルを運ぶためのコンポーネントキャリアとの間の、１対１関係を達成するために、δ＝１に設定されてもよい。ｃは、整数又は分数であり、例えば、ｃ＝１の場合、これは、第２のコンポーネントキャリアセットのコンポーネントキャリアが、順に、第１のコンポーネントキャリアセットのコンポーネントキャリアにマッピングされることを表し、ｃ＝１／２かつＮＰＤＣＣＨ−ＣＣ＝２の場合、これは、第２のコンポーネントキャリアセットの、各２つのコンポーネントキャリア、又は各コンポーネントキャリアペアによって形成されるグループが、順に、第１のコンポーネントキャリアセットのコンポーネントキャリアにマッピングされることを表す。ｆｌｏｏｒは、負の無限大に向かう丸めを表し、例えば、ｆｌｏｏｒ（０．５）＝０である。δ及びｃの両方が整数である場合、ｆｌｏｏｒ（）は省略されてもよい（すなわち、ＩＰＤＣＣＨ−ＣＣ（ｋ）＝（ｃ×ｋ＋δ）  ｍｏｄ  ＮＰＤＣＣＨ−ＣＣ）。δ及びｃは、標準によって予め規定された固定値であってもよく、又は、標準によって規定されたＵＥ固有の値（すなわち、異なるＵＥについて、異なる値が使用される）であってもよい。例えば、
【数１】
2015180094.tif 000004
であり、ここで、Ｃ（ｋ）は、初期値がｎＲＮＴＩに関連する疑似ランダムシーケンスを表し、ｎＲＮＴＩは、ＲＮＴＩの値（すなわち、ＵＥのインジケータ）であり、ｎｓは、現在のタイムスロット番号であり、Ｎは整数であり、このようにして、異なる瞬間において、データチャネルを運ぶためのコンポーネントキャリアは、制御チャネルを運ぶためのコンポーネントキャリアにランダムにマッピングされてもよく、これは、δについても同様である。
【００４６】
図４に示すように、データチャネルを運ぶためのコンポーネントキャリアａの順序番号は、０に設定され、データチャネルを運ぶためのコンポーネントキャリアｂの順序番号は、１に設定され、データチャネルを運ぶためのコンポーネントキャリアｃの順序番号は、２に設定され、データチャネルを運ぶためのコンポーネントキャリアｄの順序番号は、３に設定され、制御チャネルを運ぶためのコンポーネントキャリアａの順序番号は、０に設定され、制御チャネルを運ぶためのコンポーネントキャリアｂの順序番号は、１に設定され、従って、ＮＰＤＣＣＨ−ＣＣ＝２であり、加えて、δ＝０、及びｃ＝１に設定され、従って、ｋ＝０の場合、ＩＰＤＣＣＨ−ＣＣ（ｋ）＝０ということが計算され、これは、データチャネルを運ぶためのコンポーネントキャリアａが、制御チャネルを運ぶためのコンポーネントキャリアａにマッピングされることを表し、順序番号ｋ＝１の場合、ＩＰＤＣＣＨ−ＣＣ（ｋ）＝１ということが計算され、これは、データチャネルを運ぶためのコンポーネントキャリアｂが、制御チャネルを運ぶためのコンポーネントキャリアｂにマッピングされることを表し、順序番号ｋ＝２の場合、ＩＰＤＣＣＨ−ＣＣ（ｋ）＝１ということが計算され、データチャネルを運ぶためのコンポーネントキャリアｃが、制御チャネルを運ぶためのコンポーネントキャリアａにマッピングされ、順序番号ｋ＝３の場合、ＩＰＤＣＣＨ−ＣＣ（ｋ）＝１ということが計算され、データチャネルを運ぶためのキャリアｄが、制御チャネルを運ぶためのキャリアｂにマッピングされる。
【００４７】
第２の手法は、以下の通りである。ＵＥは、ＮｏｄｅＢによって送信された、半静的又は動的通知メッセージを受信する。通知メッセージは、第１のマッピング関係指示情報を運ぶ。第１のマッピング関係指示情報は、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）から、ＮｏｄｅＢによって選択された、マッピング関係を指示するために使用される。ＵＥは、データチャネルを運ぶためのコンポーネントキャリアと、制御チャネルを運ぶためのコンポーネントキャリアとの間のマッピング関係（ここで、マッピング関係は、ＵＥによって現在使用されるものである）を、第１のマッピング関係指示情報に従って、かつ、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）に従って、決定する。Ｎ個のマッピング関係が利用可能であると仮定すると、これは、どのマッピング関係が使用されるかを指示するビットの数が、少なくともｌｏｇ２Ｎであることを表す。例えば、図４において、データチャネルを運ぶための各コンポーネントキャリアは、２つの選択肢を有し、すなわち、データチャネルを運ぶためのコンポーネントキャリアは、制御チャネルを運ぶためのコンポーネントキャリアａ、又は、制御チャネルを運ぶためのコンポーネントキャリアｂに、マッピングされてもよい。全体として、４つの、データチャネルを運ぶためのコンポーネントキャリアが存在し、従って、利用可能なマッピング関係の数は、２４＝１６であり、少なくとも４ビットが、現在使用されるマッピング関係を表すために必要とされる。
【００４８】
加えて、第１の手法に従って提供されたマッピング関係によれば、異なるパラメータが、異なるマッピング関係に対応し、ＵＥは、ＮｏｄｅＢによって送信された、半静的又は動的通知メッセージを受信し、ＮｏｄｅＢによって現在設定されているパラメータを取得する。例えば、δの値の範囲は｛０，１，２，３｝であり、少なくとも２ビットが、δの特定の値を通知するために必要とされる。
【００４９】
動的通知メッセージは、高い送信頻度を有する動的シグナリングであり、動的シグナリングは、サブフレームレベルの時間間隔に従って送信されてもよい。半静的通知メッセージは、比較的低い送信頻度を有する半静的シグナリングであり、半静的シグナリングは、周期的に送信されてもよい。
【００５０】
第３の手法は、以下の通りである。標準が、データチャネルを運ぶためのコンポーネントキャリアと、制御チャネルを運ぶためのコンポーネントキャリアとの間の、１つ以上のマッピング規則を予め規定する。標準によって予め規定されたマッピング規則は、通信標準又はプロトコルによって規定されたマッピング規則である。
【００５１】
マッピング規則は、以下の規則を含んでもよい（但し、これに限定されない）。（１）データチャネルを運ぶためのコンポーネントキャリアが、制御チャネルを運ぶことが可能である場合、データチャネルを運ぶためのコンポーネントキャリアと、制御チャネルを運ぶための、その、マッピングされたコンポーネントキャリアとは、同じコンポーネントキャリアであり、データチャネルを運ぶための上りリンクコンポーネントキャリアとペアリングされた下りリンクコンポーネントキャリアが、制御チャネルを運ぶことが可能である場合、データチャネルを運ぶための上りリンクコンポーネントキャリアと、制御チャネルを運ぶための、その、マッピングされたコンポーネントキャリアとは、同じコンポーネントキャリアペアのコンポーネントキャリアである。（２）データチャネルを運ぶための、異なるコンポーネントキャリア帯域幅レベルのコンポーネントキャリアは、制御チャネルを運ぶための、同じコンポーネントキャリアにマッピングされることはできず、ここで、コンポーネントキャリア帯域幅レベルの分割において、各種類のコンポーネントキャリア帯域幅が、レベルとして使用されてもよく、又は、各カテゴリのコンポーネントキャリア帯域幅が、レベルとして使用される。例えば、帯域幅の差が５ＭＨｚより小さいコンポーネントキャリアは、同じコンポーネントキャリア帯域幅レベルのものであり、従って、１．４ＭＨｚ、３ＭＨｚ、及び５ＭＨｚは、同じコンポーネントキャリア帯域幅レベルのものである。（３）データチャネルを運ぶための、異なる伝送モードのコンポーネントキャリアは、制御チャネルを運ぶための、同じコンポーネントキャリアにマッピングされることはできない。（４）不連続キャリアアグリゲーションの場合、データチャネルを運ぶための、異なる周波数帯域のコンポーネントキャリアは、制御チャネルを運ぶための、同じコンポーネントキャリアにマッピングされることはできない。
【００５２】
ＵＥは、ＮｏｄｅＢによって送信された、第２のマッピング関係指示情報を受信し、第２のマッピング関係指示情報は、データチャネルを運ぶためのコンポーネントキャリアと、制御チャネルを運ぶためのコンポーネントキャリアとの間のマッピング関係（ここで、マッピング関係は、標準によって予め規定されたマッピング規則の下で、ＵＥによって使用されることが可能なものである）を指示するために使用される。データチャネルを運ぶためのコンポーネントキャリアと、制御チャネルを運ぶためのコンポーネントキャリアとの間のマッピング関係（ここで、マッピング関係は、ＵＥによって使用されることが可能なものである）は、標準によって予め規定されたマッピング規則の下での、複数の既存のマッピング関係から、ＮｏｄｅＢによって選択された、マッピング関係である。
【００５３】
例えば、図４に示すように、データチャネルを運ぶための２つのコンポーネントキャリアが、制御チャネルを運ぶための１つのコンポーネントキャリアに対応し、マッピング規則（１）に従って、データチャネルを運ぶための２つのコンポーネントキャリアと、制御チャネルを運ぶための、その、対応するコンポーネントキャリアとが、相互にマッピングされ、従って、データチャネルを運ぶための２つのコンポーネントキャリアのマッピング関係のみが、ＵＥに現在知らされている。すなわち、現在通知されている、設定可能なマッピング関係は、２２＝４のみである（しかし、第２の手法では、図４において１６のマッピング関係が存在する）。このステップにおいて、ＵＥは、第２のマッピング関係指示情報を受信し、指示情報は、ＮｏｄｅＢによって選択された、マッピング関係を表す。
【００５４】
例えば、図４に示すように、データチャネルを運ぶためのコンポーネントキャリアａの帯域幅と、データチャネルを運ぶためのコンポーネントキャリアｂの帯域幅とは、両方とも２０ＭＨｚであり、コンポーネントキャリアｃの帯域幅と、コンポーネントキャリアｄの帯域幅とは、両方とも１０ＭＨｚである。マッピング規則（２）に従って、データチャネルを運ぶためのコンポーネントキャリアａ及び／又はｂと、コンポーネントキャリアｃ及び／又はｄとは、制御チャネルを運ぶための、同じコンポーネントキャリアにマッピングされることはできない。従って、２つのマッピング関係のみが現在設定可能であり、すなわち、データチャネルを運ぶためのコンポーネントキャリアａ及びｂが、制御チャネルを運ぶためのコンポーネントキャリアａにマッピングされ、データチャネルを運ぶためのコンポーネントキャリアｃ及びｄが、制御チャネルを運ぶためのコンポーネントキャリアｂにマッピングされる、又は、データチャネルを運ぶためのコンポーネントキャリアａ及びｂが、制御チャネルを運ぶためのコンポーネントキャリアｂにマッピングされ、データチャネルを運ぶためのコンポーネントキャリアｃ及びｄが、制御チャネルを運ぶためのコンポーネントキャリアａにマッピングされる。このステップにおいて、ＵＥは、ＮｏｄｅＢによって送信された、第２のマッピング関係指示情報を受信し、指示情報は、ＮｏｄｅＢによって選択された、マッピング関係を表す。
【００５５】
予め規定されたマッピング規則がシグナリング通知を使用して形成される方法によって、シグナリングオーバヘッドが減る可能性があるということがわかり、マッピング規則（３）及び（４）についても、シグナリング通知が形成される方法が使用されてもよく、これについてはここでは繰り返さない。
【００５６】
２０２：ＵＥは、ＵＥによって現在監視される必要がある各タイプの制御チャネルの、下りリンク制御情報ビットの数を、下りリンク制御情報ビットの数の設定規則、伝送モード、コンポーネントキャリア帯域幅、伝送アンテナの数、及び各ＤＣＩフォーマットの、オリジナル下りリンク制御情報ビットの設定内容などに従って決定する。
【００５７】
第１のステップにおいて、データチャネルを運ぶための、かつ、ＵＥによって現在使用される、各コンポーネントキャリアに対応する、ＤＣＩフォーマット（１つ又は複数）が、データチャネルを運ぶための、かつ、現在使用されることが可能な、各コンポーネントキャリアの伝送モードに従って決定され、これにより、データチャネルを運ぶための、かつ、ＵＥによって現在使用される、各コンポーネントキャリアに対応する、制御チャネル上で運ばれる、ＤＣＩのフォーマット、すなわち、ＵＥによって現在監視される必要がある各タイプの制御チャネル上で運ばれる、ＤＣＩのフォーマットが決定される。
【００５８】
第２のステップにおいて、データチャネルを運ぶための各コンポーネントキャリアに対応する、ＤＣＩフォーマットの、オリジナル下りリンク制御情報ビットの数が、データチャネルを運ぶための各コンポーネントキャリアのコンポーネントキャリア帯域幅、伝送アンテナの数、及び各種類のＤＣＩフォーマットの、オリジナル下りリンク制御情報ビットの設定内容に従って決定され、これにより、ＵＥによって現在監視される必要がある各タイプの制御チャネルに対応する、ＤＣＩフォーマットの、オリジナル下りリンク制御情報ビットの数が決定される。
【００５９】
第３のステップにおいて、ＵＥによって現在監視される必要がある各タイプの制御チャネルの、下りリンク制御情報ビットの数が、下りリンク制御情報ビットの数の設定規則と、ＵＥによって現在監視される必要がある各タイプの制御チャネルに対応する、ＤＣＩフォーマットの、オリジナル下りリンク制御情報ビットの数とに従って決定される。
【００６０】
下りリンク制御情報ビットの数の設定規則は、複数のＤＣＩフォーマットの、下りリンク制御情報ビットの数が、同じであることを指定する規則である。この規則は、標準によって予め規定されてもよく、すなわち、下りリンク制御情報ビットの数の、標準で予め規定された設定規則は、通信標準又はプロトコルによって規定された規則である。あるいは、このステップの前に、ＵＥは、ＮｏｄｅＢによって送信された、かつ、下りリンク制御情報ビットの数の設定規則を運ぶ、メッセージを受信する。
【００６１】
下りリンク制御情報ビットの数の設定規則は、以下の規則のうちの少なくとも１つを含んでもよい。
【００６２】
（１）データチャネルを運ぶための上りリンクコンポーネントキャリアに対応する、ＤＣＩフォーマットの、下りリンク制御情報ビットの数と、データチャネルを運ぶための下りリンクコンポーネントキャリアに対応する、ＤＣＩフォーマットの、下りリンク制御情報ビットの数と（ここで、上りリンクコンポーネントキャリアと、下りリンクコンポーネントキャリアとは、同じ伝送モードを有する）は、同じである。
【００６３】
同じビット数は、データチャネルを運ぶための上りリンクコンポーネントキャリア、及びデータチャネルを運ぶための下りリンクコンポーネントキャリア（ここで、上りリンクコンポーネントキャリアと、下りリンクコンポーネントキャリアとは、同じ伝送モードを有する）に対応する、ＤＣＩフォーマットの、オリジナル制御情報ビットの数のうちの、最大値であってもよい。
【００６４】
各伝送モードは、１つ又は２つのＤＣＩフォーマットに対応してもよい、ということに留意されたい。各伝送モードが、２つのＤＣＩフォーマットに対応する場合、ＤＣＩフォーマットのうちの１つは、下りリンクコンポーネントキャリア、又は上りリンクコンポーネントキャリアの、全ての伝送モードによってサポートされる。例えば、下りリンクシングルアンテナ伝送モードは、ＤＣＩフォーマット１、及びＤＣＩフォーマット１Ａをサポートし、ＤＣＩフォーマット１Ａは、下りリンク伝送モードの全てによってサポートされ、伝送モードに対応する２つのＤＣＩフォーマットは、全ての下りリンク上りリンク伝送モードによって、又は全ての上りリンク伝送モードによってサポートされる、ＤＣＩフォーマットを含まない。
【００６５】
例えば、下りリンクコンポーネントキャリアの閉ループ空間分割多重伝送は、ＤＣＩフォーマット２、及びＤＣＩフォーマット１Ａに対応し、上りリンクコンポーネントキャリアの閉ループ空間分割多重伝送は、ＤＣＩフォーマット０２、及びＤＣＩフォーマット０に対応する。下りリンクコンポーネントキャリア、及び上りリンクコンポーネントキャリアの両方が、同じ伝送モードを採用するため、ＤＣＩフォーマット２の下りリンク制御情報ビットの数と、ＤＣＩフォーマット０２の下りリンク制御情報ビットの数とは、同じである。
【００６６】
このステップの前に、ＵＥは、ＵＥの伝送モードを通知するための、ＮｏｄｅＢによって送信されたメッセージを受信する。このステップにおいて、ＵＥは、ＵＥの伝送モードに従って、ＵＥによって現在監視される必要がある、各ＤＣＩフォーマットを決定してもよい。上りリンクコンポーネントキャリアの伝送モードと、下りリンクコンポーネントキャリアの伝送モードとが同じである場合、２つの伝送モードに対応する、ＤＣＩフォーマットの、下りリンク制御情報ビットの数は、同じである。
【００６７】
（２）コンポーネントキャリア帯域幅が同じである、又は、コンポーネントキャリア帯域幅レベルが同じであるという条件の下で、複数のＤＣＩフォーマットの、オリジナル下りリンク制御情報ビットの数の間の差が、予め設定された値より小さい場合、複数のＤＣＩフォーマットの、下りリンク制御情報ビットの数は、同じである。同じビット数は、複数のＤＣＩフォーマットの、オリジナル制御情報ビットの数のうちの、最大値であってもよい。
【００６８】
例えば、ＬＴＥ−Ａシステムにおいて、下りリンクの大きな時間遅延ＣＤＤに対応するＤＣＩフォーマットは、ＤＣＩフォーマット２Ａ、及びＤＣＩフォーマット１Ａであり、閉ループ空間分割多重に対応するＤＣＩフォーマットは、ＤＣＩフォーマット２、及びＤＣＩフォーマット１Ａである。コンポーネントキャリア帯域幅は同じであり、ＤＣＩフォーマット２Ａの、オリジナル下りリンク制御情報ビットの数と、ＤＣＩフォーマット２の、オリジナル下りリンク制御情報ビットの数との間の差は、０〜１ビットであり、この差は、（予め設定された値が４ビットであると仮定すると）予め設定された値より小さく、従って、ＤＣＩフォーマット２Ａの下りリンク制御情報ビットの数と、ＤＣＩフォーマット２の下りリンク制御情報ビットの数とは、同じである。
【００６９】
（３）現在のリソース設定条件の下で、複数のＤＣＩフォーマットの、オリジナル下りリンク制御情報ビットの数の間の差が、予め設定された値より小さい場合、複数のＤＣＩフォーマットの、下りリンク制御情報ビットの数は、同じである。現在のリソース設定条件は、コンポーネントキャリア帯域幅、及び、アンテナの数、という条件を含んでもよい（但し、これに限定されない）。同じビット数は、複数のＤＣＩフォーマットの、オリジナル制御情報ビットの数のうちの、最大値であってもよい。
【００７０】
例えば、ＬＴＥ−Ａシステムにおいて、ＵＥによって現在使用されることが可能な２つの下りリンクコンポーネントキャリアの帯域幅は、それぞれ、２０ＭＨｚ、及び５ＭＨｚである。帯域幅が２０ＭＨｚであるコンポーネントキャリアの伝送モードは、下りリンクシングルアンテナ伝送であり、対応するＤＣＩフォーマットは、ＤＣＩフォーマット１、及びＤＣＩフォーマット１Ａである。帯域幅が５ＭＨｚであるコンポーネントキャリアの伝送モードは、下り閉ループ空間分割多重であり、対応するＤＣＩフォーマットは、ＤＣＩフォーマット２、及びＤＣＩフォーマット１Ａである。２０ＭＨｚである帯域幅に対応する、ＤＣＩフォーマット１の、オリジナル下りリンク制御情報ビットの数と、５ＭＨｚである帯域幅に対応する、ＤＣＩフォーマット２の、オリジナル下りリンク制御情報ビットの数との間の差が、４ビットである予め設定された値より小さい、０〜３ビットである場合、２０ＭＨｚである帯域幅に対応する、ＤＣＩフォーマット１の、下りリンク制御情報ビットの数と、５ＭＨｚである帯域幅に対応する、ＤＣＩフォーマット２の、下りリンク制御情報ビットの数とは、同じである。
【００７１】
（４）同じ周波数領域リソース割り当て手法に対応する、ＤＣＩフォーマットの、下りリンク制御情報ビットの数は、同じである。
【００７２】
同じ周波数領域リソース割り当て手法に対応する、ＤＣＩフォーマットの、下りリンク制御情報は、同じビット数を有する。同じビット数は、同じ周波数領域リソース割り当て手法に対応する、ＤＣＩフォーマットの全ての、オリジナル制御情報ビットの数のうちの、最大値であってもよい。
【００７３】
システムの、周波数領域リソース割り当て手法は、連続周波数領域リソース割り当て手法と、不連続周波数領域リソース割り当て手法とを含む。
【００７４】
このステップにおいて、ＵＥは、現在監視される必要がある、各ＤＣＩフォーマットの、情報ビットの数を、ＵＥによって現在監視される必要がある、ＤＣＩフォーマットのそれぞれに対応する、周波数領域リソース割り当て手法に従って決定してもよい。同じ周波数領域リソース割り当て手法に対応する、ＤＣＩフォーマットの、情報ビットの数は、同じである。
【００７５】
（５）指示可能なトランスポートブロック（Ｔｒａｎｓｐｏｒｔ  Ｂｌｏｃｋ、ＴＢ）の最大数が同じである、ＤＣＩフォーマットの、下りリンク制御情報ビットの数は、同じである。
【００７６】
トランスポートブロックは、コードワード（ｃｏｄｅｗｏｒｄ）である。各種類のＤＣＩフォーマットによって指示可能なトランスポートブロックの最大数は固定されており、トランスポートブロックのそれぞれによって必要とされる、指示情報のビットも、固定されている。例えば、各下りリンクトランスポートブロックは、指示のために８ビットを必要とし、各上りリンクトランスポートブロックは、指示のために５ビットを必要とする。
【００７７】
指示可能なトランスポートブロックの最大数が同じである、ＤＣＩフォーマットは、同じビット数を有さなければならない。同じビット数は、指示可能なトランスポートブロックの最大数が同じである、ＤＣＩフォーマットの全ての、オリジナル制御情報ビットの数のうちの、最大値であってもよい。
【００７８】
いくつかのＤＣＩフォーマットに対応する下りリンク制御情報は、多くても１つのみのトランスポートブロックをスケジュールすることが可能であり、それらのＤＣＩフォーマットの下りリンク制御情報ビットの数は、同じでなければならない。いくつかのＤＣＩフォーマットに対応する下りリンク制御情報は、多くても２つのみのトランスポートブロックをスケジュールすることが可能であり、それらのＤＣＩフォーマットの下りリンク制御情報ビットの数は、同じでなければならない。
【００７９】
このステップにおいて、ＵＥは、現在監視される必要がある、各ＤＣＩフォーマットの、情報ビットの数を、ＵＥによって現在監視される必要がある、ＤＣＩフォーマットのそれぞれの、ＤＣＩによって指示可能な、ＴＢの最大数に従って決定してもよい。指示可能なＴＢの最大数が同じである、ＤＣＩフォーマットの、ＤＣＩビットの数は、同じである。
【００８０】
（６）周波数領域リソース割り当て手法が同じである、かつ、指示可能なトランスポートブロックの最大数が同じである、ＤＣＩフォーマットの、下りリンク制御情報ビットの数は、同じである。
【００８１】
周波数領域リソース割り当て手法が同じである、かつ、指示可能なトランスポートブロックの最大数が同じである、ＤＣＩフォーマットは、同じビット数を有さなければならない。同じビット数は、条件を満たすＤＣＩフォーマットの全ての、オリジナル制御情報ビットの数のうちの、最大値であってもよい。
【００８２】
このステップにおいて、ＵＥは、現在監視される必要がある、各ＤＣＩフォーマットの、情報ビットの数を、ＵＥによって現在監視される必要がある、ＤＣＩフォーマットのそれぞれによって採用される、周波数領域リソース割り当て手法と、ＤＣＩフォーマットのそれぞれの、ＤＣＩによって指示可能な、ＴＢの最大数とに従って決定してもよい。周波数領域リソース割り当て手法が同じである、かつ、指示可能なＴＢの最大数が同じである、ＤＣＩフォーマットの、ＤＣＩビットの数は、同じである。
【００８３】
（７）コンポーネントキャリア帯域幅が同じである、又は、コンポーネントキャリア帯域幅レベルが同じであるという条件の下で、周波数領域リソース割り当て手法が同じである、かつ／又は、指示可能なトランスポートブロックの最大数が同じである、ＤＣＩフォーマットの、下りリンク制御情報ビットの数は、同じである。
【００８４】
同じビット数は、これらの条件を満たす全てのＤＣＩフォーマットの、オリジナル制御情報ビットの数のうちの、最大値であってもよい。
【００８５】
（８）特定のリソース設定条件の下で、同じＤＣＩフォーマットの情報ビットの数は、現在の瞬間における唯一のユニークな値であるように設定される。
【００８６】
ユニークな値は、情報ビットの最大数に従って設定されなければならない。例えば、情報ビットの数は、現在サポートされている最大のコンポーネントキャリア帯域幅（ＤＣＩフォーマットの情報ビットの数は、帯域幅が増加するにつれて増加する）、及び／又は、現在サポートされているアンテナの最大数（ＤＣＩフォーマットの情報ビットの数は、アンテナの数が増加するにつれて増加する）に従って設定される。
【００８７】
特定のリソース設定条件は、以下の条件を含んでもよい（但し、これに限定されない）。
【００８８】
ＤＣＩフォーマットは、連続周波数領域リソース割り当て手法を採用する。例えば、ＤＣＩフォーマット１Ａは、連続周波数領域リソース割り当てを採用し、現在設定されているコンポーネントキャリア帯域幅のサイズに関係なく、ＤＣＩフォーマットの情報ビットの数は、現在の瞬間における唯一のユニークな値であるように設定される（設定は、現在サポートされている最大のコンポーネントキャリア帯域幅に従って実行される）。
【００８９】
現在設定されている様々な条件下での、ＤＣＩフォーマットの、オリジナル下りリンク制御情報ビットの数の間の差は、予め設定された値より小さい。例えば、ＵＥによって現在使用されることが可能な２つの下りリンクコンポーネントキャリアの帯域幅は、それぞれ、２０ＭＨｚ、及び５ＭＨｚであり、両方がＤＣＩフォーマット１Ｂをサポートし、そして、２０ＭＨｚである帯域幅に対応するＤＣＩフォーマット１Ｂの、下りリンク制御情報ビットの数と、５ＭＨｚである帯域幅に対応するＤＣＩフォーマット１Ｂの、下りリンク制御情報ビットの数との間の差が、（４ビットである予め設定された値より小さい）３ビットである場合、ＤＣＩフォーマット１Ｂは、現在の瞬間における唯一のユニークな値であるように設定される（設定は、２０ＭＨｚである帯域幅に従って実行される）。
【００９０】
（９）同じＤＣＩフォーマットの情報ビットの数は、現在の瞬間における唯一のユニークな値であるように設定される。
【００９１】
ユニークな値は、情報ビットの最大数に従って設定されなければならない。例えば、情報ビットの数は、現在サポートされている最大のコンポーネントキャリア帯域幅（ＤＣＩフォーマットの情報ビットの数は、帯域幅が増加するにつれて増加する）、及び／又は、現在サポートされているアンテナの最大数（ＤＣＩフォーマットの情報ビットの数は、アンテナの数が増加するにつれて増加する）に従って設定される。
【００９２】
２０３：ＵＥは、ＵＥによって現在監視される必要がある各タイプの制御チャネルに対応する、一時的サーチ空間を、予め規定された一時的サーチ空間計算方法に従って、かつ、制御チャネルを運ぶためのコンポーネントキャリアと、データチャネルを運ぶためのコンポーネントキャリアとの間のマッピング関係に従って、決定する。
【００９３】
理解を容易にするために、制御チャネルを運ぶためのコンポーネントキャリアの一時的サーチ空間の、簡単な説明を、最初に示す。システムにおいて、データチャネルを運ぶための各コンポーネントキャリアは、１つの一時的サーチ空間に対応し、データチャネルを運ぶための１つ以上のコンポーネントキャリアが、制御チャネルを運ぶための同じコンポーネントキャリアにマッピングされてもよく、従って、制御チャネルを運ぶための各コンポーネントキャリア上に、複数の一時的サーチ空間が存在してもよい。予め規定されたサーチ空間計算方法に従って計算された、複数の一時的サーチ空間は、同じであってもよく、又は同じでなくてもよい。
【００９４】
（１）データチャネルを運ぶためのコンポーネントキャリアのそれぞれに対応する、一時的サーチ空間が決定される。
【００９５】
サーチ空間は、ＵＥによって監視される必要がある、ＰＤＣＣＨ候補のセットであり、かつ、ＰＤＣＣＨは、ＣＣＥ（１つ又は複数）によってアグリゲートされるため、データチャネルを運ぶためのコンポーネントキャリアのそれぞれに対応する、一時的サーチ空間を決定するためには、一時的サーチ空間Ｓ（Ｌ）ｋ，ｄ，ｎを形成するためのＣＣＥｓが決定される必要があり、ここで、Ｌは、アグリゲーションレベルであり、ｋは、現在のサブフレーム番号の番号であり、ｄは、制御チャネルを運ぶためのコンポーネントキャリアのインジケータ又は順序番号であり、ｎは、データチャネルを運ぶためのコンポーネントキャリアのインジケータ又は順序番号である。このステップにおいて、制御チャネルを運ぶための、かつ、コンポーネントキャリアインジケータ／順序番号ｄによって表される、コンポーネントキャリアと、データチャネルを運ぶための、かつ、コンポーネントキャリアインジケータ／順序番号ｎによって表される、コンポーネントキャリアとは、ステップ２０１において決定されたマッピング関係を有する。
【００９６】
例えば、一時的サーチ空間Ｓ（Ｌ）ｋ，ｄ，ｎを形成するＣＣＥｓの式は、以下の通りである。
【００９７】
【数２】
2015180094.tif 000005
【００９８】
式中、ｉ＝０，・・・，Ｌ−１、及び、ｍ＝０，・・・，Ｍ（Ｌ）−１である。Ｍ（Ｌ）は、アグリゲーションレベルがＬである場合に、検出される必要がある、ＰＤＣＣＨの数である。ＮＣＣＥ，ｋ，ｄは、コンポーネントキャリアインジケータ又は順序番号ｄを有する、制御チャネルを運ぶためのコンポーネントキャリア上の、Ｋ番目のサブフレームにおいて使用されるＣＣＥの総数である。
【００９９】
式中、Ｙｋ＝（Ａ・Ｙｋ−１）ｍｏｄ  Ｄである。Ｙ−１＝Ｆ（ｎＲＮＴＩ，ｎ）≠０、又は、関連技術によれば、Ｙ−１＝ｎＲＮＴＩ≠０であり、Ｆ（ｋ）は関数を表し、Ａ＝３９８２７であり、Ｄ＝６５５３７であり、
【数３】
2015180094.tif 000006
であり、ｎｓは、無線フレーム内のスロット番号であり、ｎＲＮＴＩは、ＲＮＴＩの値である。
【０１００】
コンポーネントキャリアの属性が考慮に入れられる場合、コンポーネントキャリアの属性が変化するにつれて、Ｍ（Ｌ）の設定は変化してもよい、ということに留意されたい。例えば、データチャネルを運ぶためのコンポーネントキャリアが、プライマリキャリアである場合、そのコンポーネントキャリアに対応する一時的サーチ空間の、Ｍ（Ｌ）の値は、非プライマリキャリアに対応する一時的サーチ空間の、Ｍ（Ｌ）の値と異なってもよく、又は、制御チャネルを運ぶためのコンポーネントキャリアが、プライマリキャリアである場合、そのコンポーネントキャリアに対応する全ての一時的サーチ空間の、Ｍ（Ｌ）の値は、非プライマリキャリアに対応する一時的サーチ空間の、Ｍ（Ｌ）の値と異なってもよい。ここでのプライマリキャリアは、接続状態においてＵＥによって継続的に監視される必要がある、コンポーネントキャリア、又は、ＵＥがページング情報（ｐａｇｉｎｇ）及びシステムブロードキャスト情報を受信するための、コンポーネントキャリアであり、本発明では、プライマリキャリアの特性は限定されない。具体的には、例えば、プライマリキャリア上で送信される情報が重要であることを考慮して、プライマリキャリアに対応するサーチ空間の制御チャネルスケジューリングのブロッキング確率が、低下させられることが意図され、従って、データチャネルを運ぶためのコンポーネントキャリアがプライマリキャリアである場合、その、対応する一時的サーチ空間の、Ｍ（Ｌ）の値は、非プライマリキャリアに対応する一時的サーチ空間の、Ｍ（Ｌ）の値より大きくてもよい。
【０１０１】
（２）ＵＥによって現在監視される必要がある各タイプの制御チャネルに対応する、一時的サーチ空間が、ＵＥのデータチャネルを運ぶためのコンポーネントキャリアに対応する制御チャネルと、データチャネルを運ぶためのコンポーネントキャリアに対応する一時的サーチ空間とに従って決定される。図５に示すように、データチャネルを運ぶためのコンポーネントキャリアａに対応する、制御チャネルＡ、制御チャネルＢ、及び制御チャネルＣの、一時的サーチ空間は、ＳＳ０であり、データチャネルを運ぶためのコンポーネントキャリアｃに対応する、制御チャネルＤ、制御チャネルＥ、及び制御チャネルＦの、一時的サーチ空間は、ＳＳ２であり、データチャネルを運ぶためのコンポーネントキャリアｂに対応する、制御チャネルＧ、制御チャネルＨ、及び制御チャネルＩの、一時的サーチ空間は、ＳＳ１であり、データチャネルを運ぶためのコンポーネントキャリアｄに対応する、制御チャネルＪ、及び制御チャネルＫの、一時的サーチ空間は、ＳＳ３である。ここでの例は、説明のために使用されるにすぎず、データチャネルを運ぶための各コンポーネントキャリアに対応する、制御チャネルの数は、２又は３より大きくてもよい。
【０１０２】
２０４：ＵＥによって現在監視される必要がある、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、全てのＣＣＥｓであることを、又は、同じ数の下りリンク制御情報ビットを有する制御チャネルの全て又は一部に対応する、一時的サーチ空間の、結合（ｕｎｉｏｎ）の、ＣＣＥｓの一部であることを、決定する。１つ以上の他のタイプの制御チャネルは、選択されたタイプの制御チャネルを除く、ＵＥによって現在監視される必要がある、かつ、同じＣＣＥアグリゲーションレベルである、制御チャネルのうちの、１つ以上のタイプの制御チャネルである。同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【０１０３】
説明を明確にするために、実際のサーチ空間を形成する、２次元の要素（２−ｄｉｍｅｎｓｉｏｎａｌ  ｅｌｅｍｅｎｔｓ）について、以下にそれぞれ説明する。
【０１０４】
第１次元の形成要素（ｆｉｒｓｔ−ｄｉｍｅｎｓｉｏｎ  ｆｏｒｍａｔｉｏｎ  ｅｌｅｍｅｎｔ）は、実際のサーチ空間が、完全結合（ｃｏｍｐｌｅｔｅ  ｕｎｉｏｎ）であるか、又は、部分結合（ｐａｒｔｉａｌ  ｕｎｉｏｎ）であるか、すなわち、実際のサーチ空間が、制御チャネルの全てに対応する、一時的サーチ空間によって形成されるか、又は、制御チャネルの一部に対応する、一時的サーチ空間によって形成されるか、である。完全結合（ｃｏｍｐｌｅｔｅ  ｕｎｉｏｎ）は、選択されたタイプの制御チャネルに対応する、実際のサーチ空間が、同じ数の下りリンク制御情報ビットを有する制御チャネルの全てに対応する、一時的サーチ空間の、結合（ｕｎｉｏｎ）であることを意味する。部分結合（ｐａｒｔｉａｌ  ｕｎｉｏｎ）は、選択されたタイプの制御チャネルに対応する、実際のサーチ空間が、同じ数の下りリンク制御情報ビットを有する制御チャネルの一部に対応する、一時的サーチ空間の、結合（ｕｎｉｏｎ）であることを意味する。部分結合（ｐａｒｔｉａｌ  ｕｎｉｏｎ）の存在は、１つ以上のコンポーネントキャリアの属性に起因してもよい。例えば、データチャネルを運ぶためのコンポーネントキャリアが、プライマリキャリアである場合、プライマリキャリア上で送信される情報が重要であることを考慮して、プライマリキャリアに対応するサーチ空間の制御チャネルスケジューリングのブロッキング確率が、低下させられることが意図され、従って、プライマリキャリアに対応する、一時的サーチ空間は、データチャネルを運ぶための、他のコンポーネントキャリアによって共有されるのに適さない。例えば、ＵＥの不連続受信に関して、ＵＥが、できるだけ電力を節約すること、又は、ブラインドデコーディングの数を減らすことが可能なように、監視される実際のサーチ空間が、制御チャネルを運ぶための、できるだけ少ないコンポーネントキャリアに集中されることが意図され、従って、制御チャネルを運ぶためのコンポーネントキャリアの、いくつかの一時的サーチ空間は、結合（ｕｎｉｏｎ）に参加しなくてもよい。具体的には、例えば、接続状態にあるプライマリキャリアは、常に監視される必要があることを考慮して、結合（ｕｎｉｏｎ）に参加する一時的サーチ空間は、プライマリキャリアの一時的サーチ空間のみであってもよく、これにより、一定の時間の間、非プライマリキャリア上でデータチャネルが送信されない場合、非プライマリキャリアは休止状態（ｄｏｒｍａｎｔ  ｓｔａｔｅ）に入ってもよく、かつ、必要に応じて、プライマリキャリアの動的シグナリングを介して活動化されてもよい。本発明では、部分結合（ｐａｒｔｉａｌ  ｕｎｉｏｎ）の理由は限定されない、ということに留意されたい。例えば、図６に示すように、データチャネルを運ぶためのコンポーネントキャリアｂが、プライマリキャリアであり、制御チャネルＡ、Ｄ、及びＧは、全て、ＵＥによって現在監視される必要がある、かつ、同じＣＣＥアグリゲーションレベルである、かつ、同じ数の下りリンク制御情報ビットを有する、制御チャネルであると仮定すると、制御チャネルＡの実際のサーチ空間は、ＳＳ０、ＳＳ１、及びＳＳ２であるように拡大され、これは、完全結合（ｃｏｍｐｌｅｔｅ  ｕｎｉｏｎ）形成手法であり、プライマリキャリアのサーチ空間の制御チャネルスケジューリングのブロッキング確率を減少させることを考慮して、制御チャネルＤの実際のサーチ空間は、ＳＳ０、及びＳＳ２に拡大されるのみであり、これは、部分結合（ｐａｒｔｉａｌ  ｕｎｉｏｎ）形成手法であり、そして、結合（ｕｎｉｏｎ）に参加する一時的サーチ空間は、プライマリキャリアの一時的サーチ空間のみであることを考慮して、制御チャネルＧの実際のサーチ空間は、ＳＳ１であり、これは、部分結合（ｐａｒｔｉａｌ  ｕｎｉｏｎ）形成手法である。
【０１０５】
第２次元の形成要素（ｓｅｃｏｎｄ−ｄｉｍｅｎｓｉｏｎ  ｆｏｒｍａｔｉｏｎ  ｅｌｅｍｅｎｔ）は、実際のサーチ空間が、一時的サーチ空間の、結合（ｕｎｉｏｎ）の、全てのＣＣＥｓであるか、又は、一時的サーチ空間の、結合（ｕｎｉｏｎ）の、ＣＣＥｓの一部であるか、である。結合（ｕｎｉｏｎ）の、ＣＣＥｓの全てとは、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、ＣＣＥｓの全てであることを意味する。すなわち、実際のサーチ空間の形成に参加している一時的サーチ空間のそれぞれは、完全であり、一時的サーチ空間のＣＣＥｓの全てを含む。結合（ｕｎｉｏｎ）の、ＣＣＥｓの一部とは、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、ＣＣＥｓの一部であることを意味する。すなわち、実際のサーチ空間の形成に参加している一時的サーチ空間のうちの、１つ、又はいくつか、又は全てについて、一時的サーチ空間のＣＣＥｓの一部のみが、結合（ｕｎｉｏｎ）に参加する。実際のサーチ空間が、一時的サーチ空間の、結合（ｕｎｉｏｎ）の、ＣＣＥｓの一部であることの理由は、以下の通りである。実際のサーチ空間が、一時的サーチ空間の、結合（ｕｎｉｏｎ）の、ＣＣＥｓの全てである場合、形成された実際のサーチ空間は大きすぎるため、ＵＥ側でのブラインドデコーディングの数を減らすために、実際のサーチ空間は、縮小することが必要とされる。例えば、ブラインドデコーディングの数が、ＵＥの、ブラインドデコーディングの最大数、又は、標準によって規定された、ブラインドデコーディングの最大数より大きい場合、ブラインドデコーディングの最大数に従って、実際のサーチ空間は縮小してもよい。加えて、実際のサーチ空間は、システムによって決定された、（ＮｏｄｅＢによって通知された、又は、標準によって規定された）収縮率に従って、収縮してもよい。一時的サーチ空間のそれぞれの縮小率は、同じであってもよく、又は同じでなくてもよい。本発明では、実際のサーチ空間が、一時的サーチ空間の、結合（ｕｎｉｏｎ）の、ＣＣＥｓの一部であることの理由は限定されない。例えば、図６に示すように、制御チャネルＢ、Ｅ、Ｈ、及びＫは、全て、ＵＥによって現在監視される必要がある、かつ、同じＣＣＥアグリゲーションレベルである、かつ、同じ数の下りリンク制御情報ビットを有する、制御チャネルであると仮定すると、制御チャネルＢの実際のサーチ空間は、ＳＳ０、ＳＳ１、ＳＳ２、及びＳＳ３であるように拡大され、ＳＳ０、ＳＳ１、ＳＳ２、及びＳＳ３に含まれる全てのＣＣＥｓが、実際のサーチ空間の形成に参加し、これは、実際のサーチ空間が、一時的サーチ空間の、結合（ｕｎｉｏｎ）の、ＣＣＥｓの全てによって形成される形成手法であり、制御チャネルＥの実際のサーチ空間は、ＳＳ０＿ｐ、ＳＳ１＿ｐ、ＳＳ２＿ｐ、及びＳＳ３＿ｐであるように拡大され、ＳＳ０＿ｐは、ＳＳ０の一部であり、ＳＳ０が１２のＣＣＥｓを含むと��定すると、ＳＳ０＿ｐによって含まれるＣＣＥｓは、ＳＳ０によって含まれるＣＣＥｓの最初の３分の２、すなわち、最初の８つのＣＣＥｓであり、同じ操作が、ＳＳ１＿ｐ、ＳＳ２＿ｐ、及びＳＳ３＿ｐについて実行され、これは、実際のサーチ空間が、一時的サーチ空間の、結合（ｕｎｉｏｎ）の、ＣＣＥｓの一部によって形成される形成手法であり、制御チャネルＨの実際のサーチ空間は、ＳＳ０＿ｐ、ＳＳ２＿ｐ、及びＳＳ３＿ｐであるように拡大され、ＳＳ０＿ｐは、ＳＳ０の一部であり、ＳＳ０が１２個のＣＣＥｓを含むと仮定すると、ＳＳ０＿ｐによって含まれるＣＣＥｓは、ＳＳ０によって含まれるＣＣＥｓの最初の６分の５、すなわち、最初の１０のＣＣＥｓであり、同じ操作が、ＳＳ２＿ｐ、及びＳＳ３＿ｐについて実行され、これは、実際のサーチ空間が、一時的サーチ空間の、結合（ｕｎｉｏｎ）の、ＣＣＥｓの一部によって形成される形成手法であり、制御チャネルＫの実際のサーチ空間は、ＳＳ０＿ｐ、及びＳＳ３＿ｐであるように拡大され、ＳＳ０＿ｐは、ＳＳ０の一部であり、ＳＳ３＿ｐは、ＳＳ３の一部であり、ＳＳ０及びＳＳ３の両方が１２のＣＣＥｓを含むと仮定すると、ＳＳ０＿ｐによって含まれるＣＣＥｓは、ＳＳ０によって含まれるＣＣＥｓの最初の半分、すなわち、最初の６つのＣＣＥｓであり、ＳＳ３＿ｐによって含まれるＣＣＥｓは、ＳＳ０によって含まれるＣＣＥｓの最初の６分の５、すなわち、最初の１０のＣＣＥｓであり、これは、実際のサーチ空間が、一時的サーチ空間の、結合（ｕｎｉｏｎ）の、ＣＣＥｓの一部によって形成される形成手法である。
【０１０６】
加えて、選択されたタイプの制御チャネルに対応する、実際のサーチ空間は、同じ数の下りリンク制御情報ビットを有する制御チャネルの全て又は一部に対応する、一時的サーチ空間の、拡張結合（ｅｘｔｅｎｄｅｄ  ｕｎｉｏｎ）であってもよい。更なる拡張の理由は、主として、ＰＤＣＣＨスケジューリングのブロッキング確率を更に減らすことである。図６に示すように、制御チャネルＣ及びＩは、両方とも、ＵＥによって現在監視される必要がある、かつ、同じＣＣＥアグリゲーションレベルである、かつ、同じ数の下りリンク制御情報ビットを有する、制御チャネルであると仮定する。制御チャネルＣの実際のサーチ空間は、ＳＳ０、ＳＳ１、及びＳＳ＿ｂであるように拡大され、ここで、ＳＳ＿ｂは、拡張されたサーチ空間、すなわち、拡張されたＣＣＥｓであり、例えば、４つのＣＣＥｓが拡張される。制御チャネルＩの実際のサーチ空間は、ＳＳ０、及びＳＳ１であるように拡大される。
【０１０７】
ＵＥによって現在監視される必要がある、かつ、同じＣＣＥアグリゲーションレベルである、制御チャネルについて、他の制御チャネルの、下りリンク制御情報ビットの数が、全て、選択されたタイプの制御チャネルの、下りリンク制御情報ビットの数と異なる場合、選択されたタイプの制御チャネルに対応する、実際のサーチ空間は、選択されたタイプの制御チャネルに対応する、一時的サーチ空間であるように決定される。他の制御チャネルは、選択されたタイプの制御チャネルを除く、ＵＥによって現在監視される必要がある、かつ、同じＣＣＥアグリゲーションレベルである、制御チャネルの全てである。制御チャネルのブラインドデコーディングの数を増やさないようにするために、異なる下りリンク制御情報ビット数の、制御チャネルの、サーチ空間は、形成されない。例えば、図６に示すように、ＵＥによって現在監視される必要がある、かつ、同じＣＣＥアグリゲーションレベルである、制御チャネルについて、制御チャネルＦの、下りリンク制御情報ビットの数は、他の制御チャネルの、下りリンク制御情報ビットの数と異なり、従って、制御チャネルＦの実際のサーチ空間は、ＳＳ２であり、これは、制御チャネルＪの場合と同様である。
【０１０８】
下りリンク制御情報ビットの数の設定規則は、同じ数の下りリンク制御情報ビットであるように設定されなければならないＤＣＩフォーマットが満たす、条件を指定することである、ということに留意されたい。ＵＥによって使用される複数のＤＣＩフォーマットについて、複数のＤＣＩフォーマットの一部は、同じ数の下りリンク制御情報ビットを使用して設定される条件を満たしてもよく、そして、条件を満たさないＤＣＩフォーマットも存在してもよく、この場合、そのＤＣＩフォーマットに対応する制御チャネルに対応する、実際のサーチ空間は、その制御チャネルに対応する、一時的サーチ空間である。
【０１０９】
図６に関連する例は、全て、図５の例に基づいて説明されたことに留意されたい。
【０１１０】
２０５：ＵＥは、現在監視される必要がある各タイプの制御チャネルに対応する、実際のサーチ空間と、現在監視される必要がある各タイプの制御チャネルの、ＤＣＩビットの数とに従って、ＰＤＣＣＨに関するブラインドデコーディングを、各タイプの制御チャネルに対応する、実際のサーチ空間内で実行し、これにより、ＣＲＣをパスした下りリンク制御情報を見付ける。
【０１１１】
同じ数の下りリンク制御情報ビットを有する、複数の制御チャネルに対応する、実際のサーチ空間が、同じである場合、ＮｏｄｅＢは、コンポーネントキャリアを識別するための情報ヘッダ、すなわち、キャリアインジケータ（Ｃａｒｒｉｅｒ  Ｉｄｅｎｔｉｆｙ、ＣＩ）ビットを、各タイプの制御チャネル上で運ばれるＤＣＩに追加する必要がある、又は、異なるスクランブリングコードを、各ＤＣＩに追加する必要がある。ＵＥは、各ＤＣＩの、キャリアインジケータビット、又は異なるスクランブリングコードに従って、データチャネルを運ぶためのどのコンポーネントキャリアを、見付けられたＤＣＩが示すかを区別する。
【０１１２】
本発明の実施形態２によれば、ＵＥによって現在監視される必要がある制御チャネルに対応する、一時的サーチ空間が、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的サーチ空間は、異なる可能性がある。ＵＥによって現在監視される必要がある、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間は、同じ数の下りリンク制御情報ビットを有する制御チャネルの全て又は一部に対応する、一時的サーチ空間の、結合（ｕｎｉｏｎ）の、ＣＣＥｓの全てであることが、又は、同じ数の下りリンク制御情報ビットを有する制御チャネルの全て又は一部に対応する、一時的サーチ空間の、結合（ｕｎｉｏｎ）の、ＣＣＥｓの一部であることが、決定される。加えて、データチャネルを運ぶための、異なるコンポーネントキャリアに対応する、制御チャネルの、一時的サーチ空間は、異なる可能性があり、従って、結合（ｃｏｍｂｉｎｉｎｇ）の後、制御チャネルに対応するサーチ空間は、拡大される。従って、キャリアアグリゲーションシステムにおいて、制御チャネルに対応する、実際のサーチ空間内での、制御チャネルスケジューリングのブロッキング確率が減少し、ＵＥ側での、制御チャネルのブラインドデコーディングの数は増加しない。
【０１１３】
実施形態３
図７を参照すると、本発明の実施形態によって、候補制御チャネルリソースを決定する方法が提供され、この方法は以下を含む。
【０１１４】
７０１：ＵＥのために現在設定可能な各タイプの制御チャネルの、下りリンク制御情報ビットの数を決定する。
【０１１５】
ＵＥのために現在設定可能な各タイプの制御チャネルの、下りリンク制御情報ビットの数は、下りリンク制御情報ビットの数の設定規則と、ＵＥのために現在設定可能な各タイプの制御チャネルによって運ばれるＤＣＩのフォーマットとに従って決定されてもよい。下りリンク制御情報ビットの数の設定規則は、複数のＤＣＩフォーマットの、下りリンク制御情報ビットの数が、同じであることを指定する規則である。複数のＤＣＩフォーマットの、オリジナル下りリンク制御情報ビットの数は、同じではない可能性がある。規則は、この場合に、ＤＣＩフォーマットの、下りリンク制御情報ビットの数が、同じであるように設定されなければならないことを指定する。具体的には、ＤＣＩフォーマットの、下りリンク制御情報ビットの数は、冗長情報ビット、又は付加的な有用情報ビットを追加することによって、同じであるように設定されてもよい。
【０１１６】
下りリンク制御情報ビットの数の設定規則は、以下の規則のうちの少なくとも１つを含む。
【０１１７】
同じ周波数領域リソース割り当て手法に対応する、ＤＣＩフォーマットの、下りリンク制御情報ビットの数は、同じである。
【０１１８】
周波数領域リソース割り当て手法が同じである、かつ、指示可能なトランスポートブロックの最大数が同じである、ＤＣＩフォーマットの、下りリンク制御情報ビットの数は、同じである。
【０１１９】
現在設定されている様々なリソース条件の下で、同じＤＣＩフォーマットに対応する、下りリンク制御情報ビットの数の間の差が、予め設定された値より小さい場合、ＤＣＩフォーマットの、下りリンク制御情報ビットの数は、ユニークな値であるように設定される。
【０１２０】
７０２：ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ＵＥのために現在設定されているものである）に従って決定する。
【０１２１】
制御チャネルを運ぶためのコンポーネントキャリアは、第１のキャリアセットのコンポーネントキャリアであり、データチャネルを運ぶためのコンポーネントキャリアは、第２のキャリアセットのコンポーネントキャリアである。第１のキャリアセット、第２のキャリアセット、及び関連する説明については、実施形態１のステップ１０２を参照されたい。
【０１２２】
データチャネルを運ぶためのコンポーネントキャリアと、制御チャネルを運ぶためのコンポーネントキャリアとの間のマッピング関係（ここで、マッピング関係は、ＵＥのために現在設定可能なものである）は、１対１関係、又は、多対１関係であってもよく、関連する説明については、実施形態１のステップ１０２を参照されたい。
【０１２３】
このステップにおいて、データチャネルを運ぶためのコンポーネントキャリアと、制御チャネルを運ぶためのコンポーネントキャリアとの間のマッピング関係（ここで、マッピング関係は、ＵＥのために現在設定可能なものである）は、標準によって予め規定されてもよい。あるいは、このステップの前に、ＮｏｄｅＢが、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）から、マッピング関係を選択する。ＵＥと、ＮｏｄｅＢとが、同じマッピング関係を採用するようにするために、ＮｏｄｅＢは、第１のマッピング関係指示情報を、ＵＥに送信する。第１のマッピング関係指示情報は、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）から、ＮｏｄｅＢによって選択された、マッピング関係を指示するために使用される。標準によって予め規定されたマッピング関係は、通信標準又はプロトコルによって規定されたマッピング関係である。
【０１２４】
あるいは、このステップの前に、標準によって予め規定されたマッピング規則に従って、ＮｏｄｅＢは、現在設定可能なマッピング関係のタイプを決定し、そして、マッピング関係を選択する。標準によって予め規定されたマッピング規則は、通信標準又はプロトコルによって規定されたマッピング規則である。ＵＥと、ＮｏｄｅＢとが、同じマッピング関係を採用することを保証するために、ＮｏｄｅＢは、第２のマッピング関係指示情報を、ＵＥに送信する。第２のマッピング関係指示情報は、データチャネルを運ぶためのコンポーネントキャリアと、制御チャネルを運ぶためのコンポーネントキャリアとの間のマッピング関係（ここで、マッピング関係は、標準によって予め規定されたマッピング規則の下で、ＵＥのために現在設定されているものである）を指示するために使用される。
【０１２５】
マッピング規則は、以下の規則のうちの少なくとも１つを含む。データチャネルを運ぶためのコンポーネントキャリアが、制御チャネルを運ぶことが可能である場合、データチャネルを運ぶためのコンポーネントキャリアと、制御チャネルを運ぶための、その、マッピングされたコンポーネントキャリアとは、同じコンポーネントキャリアである。
【０１２６】
データチャネルを運ぶための上りリンクコンポーネントキャリアとペアリングされた下りリンクコンポーネントキャリアが、制御チャネルを運ぶことが可能である場合、データチャネルを運ぶための上りリンクコンポーネントキャリアと、制御チャネルを運ぶための、その、マッピングされたコンポーネントキャリアとは、同じコンポーネントキャリアペアのコンポーネントキャリアである。
【０１２７】
データチャネルを運ぶための、異なるコンポーネントキャリア帯域幅レベルのコンポーネントキャリアは、制御チャネルを運ぶための、同じコンポーネントキャリアにマッピングされることはできない。
【０１２８】
データチャネルを運ぶための、異なる伝送モードのコンポーネントキャリアは、制御チャネルを運ぶための、同じコンポーネントキャリアにマッピングされることはできない。
【０１２９】
データチャネルを運ぶための、異なる周波数帯域のコンポーネントキャリアは、制御チャネルを運ぶための、同じコンポーネントキャリアにマッピングされることはできない。
【０１３０】
７０３：ＵＥのために現在設定可能である、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、全てのＣＣＥｓであることを、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることを、決定する。１つ以上の他のタイプの制御チャネルは、選択されたタイプの制御チャネルを除く、ＵＥのために現在設定可能である、かつ、同じＣＣＥアグリゲーションレベルである、制御チャネルのうちの、１つ以上である。同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【０１３１】
本発明の実施形態３によれば、ＵＥのために現在設定可能な制御チャネルに対応する、一時的候補制御チャネルリソースが、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的候補制御チャネルリソースは、異なる可能性がある。ＵＥのために現在設定可能である、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースは、同じ数の下りリンク制御情報ビットを有する制御チャネルの全て又は一部に対応する、一時的候補制御チャネルリソースの、結合（ｕｎｉｏｎ）の、ＣＣＥｓの全てであることが、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることが、決定される。加えて、データチャネルを運ぶための、異なるコンポーネントキャリアに対応する、制御チャネルの、一時的候補制御チャネルリソースは、異なる可能性があり、従って、結合（ｃｏｍｂｉｎｉｎｇ）の後、制御チャネルに対応する候補制御チャネルリソースは、拡大される。従って、キャリアアグリゲーションシステムにおいて、制御チャネルに対応する、実際の候補制御チャネルリソース内での、制御チャネルスケジューリングのブロッキング確率が減少する。
【０１３２】
実施形態４
図８を参照すると、本発明の実施形態４によって、下りリンク制御情報を送信する方法が提供される。この方法に関しては、制御チャネルに対応する、候補制御チャネルリソースの決定について、ＮｏｄｅＢ側の観点から主として説明され、この方法は以下を含む。
【０１３３】
８０１：ＮｏｄｅＢは、データチャネルを運ぶためのコンポーネントキャリアと、制御チャネルを運ぶためのコンポーネントキャリアとの間のマッピング関係（ここで、マッピング関係は、ＵＥのために現在設定されているものである）を決定する。
【０１３４】
具体的には、ＮｏｄｅＢによって、データチャネルを運ぶためのコンポーネントキャリアと、制御チャネルを運ぶためのコンポーネントキャリアとの間のマッピング関係（ここで、マッピング関係は、ＵＥのために現在設定されているものである）を決定することは、以下の手法で実行されてもよい。
【０１３５】
第１の手法は、以下の通りである。データチャネルを運ぶためのコンポーネントキャリアと、制御チャネルを運ぶためのコンポーネントキャリアとの間のマッピング関係は、標準によって予め規定されてもよい。このステップにおいて、ＮｏｄｅＢは、標準によって予め規定されたマッピング関係に従って、第１のキャリアセットのどのコンポーネントキャリアに、第２のキャリアセットの各コンポーネントキャリアがマッピングされるか（すなわち、対応するか）を決定する。標準によって予め規定されたマッピング関係は、通信標準又はプロトコルによって規定されたマッピング関係である。データチャネルを運ぶためのコンポーネントキャリアと、制御チャネルを運ぶためのコンポーネントキャリアとの間の、関数関係が予め規定されてもよく、これについては、実施形態２のステップ２０１の関連する説明を参照されたい（ここでは繰り返さない）。
【０１３６】
第２の手法は、以下の通りである。複数の（例えば、Ｎ個の）マッピング関係が、ＵＥのために現在設定可能であり、ＮｏｄｅＢは、１つを選択する。ＵＥと、ＮｏｄｅＢとが、同じマッピング関係を採用することを保証するために、ＮｏｄｅＢは、半静的又は動的シグナリングを介して、第１のマッピング関係指示情報を、ＵＥに送信する。第１のマッピング関係指示情報は、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）から、ＮｏｄｅＢによって選択された、マッピング関係を指示するために使用される。
【０１３７】
第３の手法は、以下の通りである。標準が、データチャネルを運ぶためのコンポーネントキャリアと、制御チャネルを運ぶためのコンポーネントキャリアとの間の、１つ以上のマッピング規則を予め規定する。マッピング規則は、実施形態２において説明した４つのマッピング規則であってもよい。ＮｏｄｅＢは、標準によって予め規定されたマッピング規則に従って、現在設定可能なマッピング関係のタイプを決定し、そして、ＮｏｄｅＢは、１つのマッピング関係を選択してもよい。ＵＥと、ＮｏｄｅＢとが、同じマッピング関係を採用することを保証するために、このステップにおいて、ＮｏｄｅＢは、第２のマッピング関係指示情報を、ＵＥに送信し、ここで、第２のマッピング関係指示情報は、データチャネルを運ぶためのコンポーネントキャリアと、制御チャネルを運ぶためのコンポーネントキャリアとの間のマッピング関係（ここで、マッピング関係は、標準によって予め規定されたマッピング規則の下で、ＵＥによって使用されるものである）を指示するために使用される。標準によって予め規定されたマッピング規則は、通信標準又はプロトコルによって規定されたマッピング規則である。
【０１３８】
８０２：ＮｏｄｅＢは、ＵＥのために現在設定可能な各タイプの制御チャネルの、下りリンク制御情報ビットの数を、下りリンク制御情報ビットの数の設定規則、伝送モード、コンポーネントキャリア帯域幅、伝送アンテナの数、及び各種類のＤＣＩフォーマットの、オリジナル下りリンク制御情報ビットの設定などの情報に従って決定してもよく、そして更に、ＵＥに、伝送モード、コンポーネントキャリア帯域幅、及び伝送アンテナの数などの情報を知らせてもよく、これにより、ＵＥは、この情報に従って、ＵＥによって監視される必要がある各タイプの制御チャネルの、下りリンク制御情報ビットの数を取得する。
【０１３９】
ＵＥのために現在設定可能な各タイプの制御チャネルの、下りリンク制御情報ビットの数を決定する、特定のステップは、実施形態２の２０２で説明した３つのステップと同様であり、以下では繰り返さない。
【０１４０】
下りリンク制御情報ビットの数の設定規則は、複数のＤＣＩフォーマットの、下りリンク制御情報ビットの数が、同じであることを指定する規則である。この規則は、標準によって予め規定されてもよく、すなわち、下りリンク制御情報ビットの数の、標準で予め規定された設定規則は、通信標準又はプロトコルによって規定された規則である。あるいは、ＮｏｄｅＢは、ＵＥに、下りリンク制御情報ビットの数の、現在使用される設定規則を知らせる。
【０１４１】
下りリンク制御情報ビットの数の設定規則は、以下の規則のうちの少なくとも１つを含んでもよい。
【０１４２】
（１）データチャネルを運ぶための上りリンクコンポーネントキャリアに対応する、ＤＣＩフォーマットの、下りリンク制御情報ビットの数と、データチャネルを運ぶための下りリンクコンポーネントキャリアに対応する、ＤＣＩフォーマットの、下りリンク制御情報ビットの数と（ここで、上りリンクコンポーネントキャリアと、下りリンクコンポーネントキャリアとは、同じ伝送モードを有する）は、同じである。
【０１４３】
上りリンクコンポーネントキャリアの伝送モードと、下りリンクコンポーネントキャリアの伝送モード（ここで、伝送モードは、ＮｏｄｅＢによって現在設定されているものである）が同じである場合、上りリンクコンポーネントキャリアに対応する、ＤＣＩフォーマットの、下りリンク制御情報ビットの数と、下りリンクコンポーネントキャリアに対応する、ＤＣＩフォーマットの、下りリンク制御情報ビットの数とは、同じである。
【０１４４】
（２）コンポーネントキャリア帯域幅が同じである、及び、コンポーネントキャリア帯域幅レベルが同じであるという条件の下で、複数のＤＣＩフォーマットの、オリジナル下りリンク制御情報ビットの数の間の差が、予め設定された値より小さい場合、複数のＤＣＩフォーマットの、下りリンク制御情報ビットの数は、同じである。
【０１４５】
（３）現在のリソース設定条件の下で、複数のＤＣＩフォーマットの、オリジナル下りリンク制御情報ビットの数の間の差が、予め設定された値より小さい場合、複数のＤＣＩフォーマットの、下りリンク制御情報ビットの数は、同じである。現在のリソース設定条件は、コンポーネントキャリア帯域幅、及び、アンテナの数、という条件を含んでもよい（但し、これに限定されない）。
【０１４６】
（４）同じ周波数領域リソース割り当て手法に対応する、ＤＣＩフォーマットの、下りリンク制御情報ビットの数は、同じである。
【０１４７】
このステップにおいて、ＮｏｄｅＢは、現在設定可能な各ＤＣＩフォーマットの、情報ビットの数を、ＵＥのために現在設定可能なＤＣＩフォーマットのそれぞれに対応する、周波数領域リソース割り当て手法に従って決定する。同じ周波数領域リソース割り当て手法に対応する、ＤＣＩフォーマットの、情報ビットの数は、同じである。
【０１４８】
（５）指示可能なトランスポートブロックの最大数が同じである、ＤＣＩフォーマットの、下りリンク制御情報ビットの数は、同じである。
【０１４９】
このステップにおいて、ＮｏｄｅＢは、現在設定可能な各ＤＣＩフォーマットの、情報ビットの数を、ＵＥのために現在設定可能なＤＣＩフォーマットのそれぞれの、下りリンク制御情報によって指示可能な、トランスポートブロックの最大数に従って決定する。指示可能なトランスポートブロックの最大数が同じである、ＤＣＩフォーマットの、下りリンク制御情報ビットの数は、同じである。
【０１５０】
（６）周波数領域リソース割り当て手法が同じである、かつ、指示可能なトランスポートブロックの最大数が同じである、ＤＣＩフォーマットの、下りリンク制御情報ビットの数は、同じである。
【０１５１】
このステップにおいて、ＮｏｄｅＢは、現在設定可能な各ＤＣＩフォーマットの、情報ビットの数を、現在設定可能なＤＣＩフォーマットのそれぞれによって採用される、周波数領域リソース割り当て手法と、ＤＣＩフォーマットのそれぞれの、下りリンク制御情報によって指示可能な、トランスポートブロックの最大数とに従って決定する。周波数領域リソース割り当て手法が同じである、かつ、指示可能なトランスポートブロックの最大数が同じである、ＤＣＩフォーマットの、下りリンク制御情報ビットの数は、同じである。
【０１５２】
（７）コンポーネントキャリア帯域幅が同じである、又は、コンポーネントキャリア帯域幅レベルが同じであるという条件の下で、周波数領域リソース割り当て手法が同じである、かつ／又は、指示可能なトランスポートブロックの最大数が同じである、ＤＣＩフォーマットの、下りリンク制御情報ビットの数は、同じである。
【０１５３】
（８）特定のリソース設定条件の下で、同じＤＣＩフォーマットの情報ビットの数は、現在の瞬間における唯一のユニークな値であるように設定される。
【０１５４】
ユニークな値は、情報ビットの最大数に従って設定されなければならない。
【０１５５】
特定のリソース設定条件は、以下の条件を含んでもよい（但し、これに限定されない）。ＤＣＩフォーマットは、連続周波数領域リソース割り当て手法を採用する、及び、現在設定されている様々な条件下での、ＤＣＩフォーマットの、オリジナル下りリンク制御情報ビットの数の間の差は、予め設定された値より小さい。
【０１５６】
（９）同じＤＣＩフォーマットの情報ビットの数は、現在の瞬間における唯一のユニークな値であるように設定される。
【０１５７】
８０３：ＮｏｄｅＢは、ＵＥのために現在設定可能な各タイプの制御チャネルに対応する、一時的候補制御チャネルリソースを、予め規定された候補制御チャネルリソース計算方法に従って、かつ、制御チャネルを運ぶためのコンポーネントキャリアと、データチャネルを運ぶためのコンポーネントキャリアとの間のマッピング関係に従って、決定する。
【０１５８】
このステップにおける、一時的候補制御チャネルリソースを決定する手法は、実施形態２のステップ２０３における、一時的サーチ空間を決定する実施手法と同様であり、以下では繰り返さない。
【０１５９】
８０４：ＵＥのために現在設定可能である、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、全てのＣＣＥｓであることを、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることを、決定する。１つ以上の他のタイプの制御チャネルは、選択されたタイプの制御チャネルを除く、ＵＥのために現在設定可能である、かつ、同じＣＣＥアグリゲーションレベルである、制御チャネルのうちの、１つ以上のタイプの制御チャネルである。同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【０１６０】
説明を明確にするために、実際の候補制御チャネルリソースを形成する、２次元の要素（２−ｄｉｍｅｎｓｉｏｎａｌ  ｅｌｅｍｅｎｔｓ）について、以下にそれぞれ説明する。
【０１６１】
第１次元の形成要素（ｆｉｒｓｔ−ｄｉｍｅｎｓｉｏｎ  ｆｏｒｍａｔｉｏｎ  ｅｌｅｍｅｎｔ）は、実際の候補制御チャネルリソースが、完全結合（ｃｏｍｐｌｅｔｅ  ｕｎｉｏｎ）であるか、又は、部分結合（ｐａｒｔｉａｌ  ｕｎｉｏｎ）であるか、すなわち、実際の候補制御チャネルリソースが、制御チャネルの全てに対応する、一時的候補制御チャネルリソースによって形成されるか、又は、制御チャネルの一部に対応する、一時的候補制御チャネルリソースによって形成されるか、である。完全結合（ｃｏｍｐｌｅｔｅ  ｕｎｉｏｎ）は、選択されたタイプの制御チャネルに対応する、実際の候補制御チャネルリソースが、同じ数の下りリンク制御情報ビットを有する制御チャネルの全てに対応する、一時的候補制御チャネルリソースの、結合（ｕｎｉｏｎ）であることを意味する。部分結合（ｐａｒｔｉａｌ  ｕｎｉｏｎ）は、選択されたタイプの制御チャネルに対応する、実際の候補制御チャネルリソースが、同じ数の下りリンク制御情報ビットを有する制御チャネルの一部に対応する、一時的候補制御チャネルリソースの、結合（ｕｎｉｏｎ）であることを意味する。部分結合（ｐａｒｔｉａｌ  ｕｎｉｏｎ）の存在は、１つ以上のコンポーネントキャリアの属性に起因してもよい。
【０１６２】
第２次元の形成要素（ｓｅｃｏｎｄ−ｄｉｍｅｎｓｉｏｎ  ｆｏｒｍａｔｉｏｎ  ｅｌｅｍｅｎｔ）は、実際の候補制御チャネルリソースが、一時的候補制御チャネルリソースの、結合（ｕｎｉｏｎ）の、全てのＣＣＥｓであるか、又は、一時的候補制御チャネルリソースの、結合（ｕｎｉｏｎ）の、ＣＣＥｓの一部であるか、である。結合（ｕｎｉｏｎ）の、ＣＣＥｓの全てとは、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、ＣＣＥｓの全てであることを意味する。すなわち、実際の候補制御チャネルリソースの形成に参加している一時的候補制御チャネルリソースのそれぞれは、完全であり、一時的候補制御チャネルリソースのＣＣＥｓの全てを含む。結合（ｕｎｉｏｎ）の、ＣＣＥｓの一部とは、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、ＣＣＥｓの一部であることを意味する。すなわち、実際の候補制御チャネルリソースの形成に参加している一時的候補制御チャネルリソースのうちの、１つ、又はいくつか、又は全てについて、一時的候補制御チャネルリソースのＣＣＥｓの一部のみが、結合（ｕｎｉｏｎ）に参加する。実際の候補制御チャネルリソースが、一時的候補制御チャネルリソースの、結合（ｕｎｉｏｎ）の、ＣＣＥｓの一部であることの理由は、以下の通りである。実際の候補制御チャネルリソースが、一時的候補制御チャネルリソースの、結合（ｕｎｉｏｎ）の、ＣＣＥｓの全てである場合、形成された実際の候補制御チャネルリソースは大きすぎるため、ＵＥ側でのブラインドデコーディングの数を減らすために、実際の候補制御チャネルリソースは、縮小することが必要とされる。
【０１６３】
加えて、選択されたタイプの制御チャネルに対応する、実際の候補制御チャネルリソースは、同じ数の下りリンク制御情報ビットを有する制御チャネルの全て又は一部に対応する、一時的候補制御チャネルリソースの、拡張結合（ｅｘｔｅｎｄｅｄ  ｕｎｉｏｎ）であってもよい。更なる拡張の理由は、主として、ＰＤＣＣＨスケジューリングのブロッキング確率を更に減らすことである。
【０１６４】
ＵＥのために現在設定可能である、かつ、同じＣＣＥアグリゲーションレベルである、制御チャネルについて、他の制御チャネルの、下りリンク制御情報ビットの数が、全て、選択されたタイプの制御チャネルの、下りリンク制御情報ビットの数と異なる場合、選択されたタイプの制御チャネルに対応する、実際の候補制御チャネルリソースは、選択されたタイプの制御チャネルに対応する、一時的候補制御チャネルリソースであるように決定される。他の制御チャネルは、選択されたタイプの制御チャネルを除く、ＵＥのために現在設定可能である、かつ、同じＣＣＥアグリゲーションレベルである、制御チャネルの全てである。制御チャネルのブラインドデコーディングの数を増やさないようにするために、異なる下りリンク制御情報ビット数の、制御チャネルの、候補制御チャネルリソースは、形成されない。
【０１６５】
８０５：ＵＥのために現在設定可能な各タイプの制御チャネルの、下りリンク制御情報ビットの数に従って、ＮｏｄｅＢは、各タイプの制御チャネル上で運ばれるＤＣＩを構成し、そして、実際の候補制御チャネルリソースの制御チャネル上で運ばれるＤＣＩを作成することによって、ＤＣＩを、ＵＥに送信する。
【０１６６】
ＮｏｄｅＢが、各タイプの制御チャネル上で運ばれるＤＣＩを構成する場合、かつ、ステップ８０２で決定された、制御チャネルの下りリンク制御情報ビットの数が、制御チャネルの、オリジナル下りリンク制御情報ビットの数より大きい場合、有用情報ビット、又は冗長情報ビットが、付加的ビットに追加されてもよい。
【０１６７】
同じ数の下りリンク制御情報ビットを有する、複数の制御チャネルに対応する、実際の候補制御チャネルリソースが、同じである場合、各タイプの制御チャネル上で運ばれるＤＣＩに、キャリアインジケータビット、又は異なるスクランブリングコードが追加され、これにより、ＵＥは、データチャネルを運ぶための、どのコンポーネントキャリアを、見付けられたＤＣＩが示すかを区別する。
【０１６８】
本発明の実施形態４によれば、ＵＥのために現在設定可能な制御チャネルに対応する、一時的候補制御チャネルリソースが、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的候補制御チャネルリソースは、異なる可能性がある。ＵＥのために現在設定可能である、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、ＣＣＥｓの全てであることが、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることが、決定される。加えて、データチャネルを運ぶための、異なるコンポーネントキャリアに対応する、制御チャネルの、一時的候補制御チャネルリソースは、異なる可能性があり、従って、結合（ｃｏｍｂｉｎｉｎｇ）の後、制御チャネルに対応する候補制御チャネルリソースは、拡大される。従って、キャリアアグリゲーションシステムにおいて、制御チャネルに対応する、実際の候補制御チャネルリソース内での、制御チャネルスケジューリングのブロッキング確率が減少する。
【０１６９】
実施形態５
図９Ａ、図９Ｂ、及び／又は図９Ｃを参照すると、本発明の実施形態５によって、ユーザ装置が提供され、これは、
ＵＥによって現在監視される必要がある各タイプの制御チャネルの、下りリンク制御情報ビットの数を決定するように構成された、制御情報ビット数決定ユニット９０１と、
ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ＵＥによって現在使用されるものである）に従って決定するように構成された、一時的サーチ空間決定ユニット９０２と、
同じＣＣＥアグリゲーションレベルの制御チャネルについて、他の制御チャネルの、下りリンク制御情報ビットの数が、選択されたタイプの制御チャネルの、下りリンク制御情報ビットの数と同じである場合、選択されたタイプの制御チャネルに対応する、実際のサーチ空間が、同じ数の下りリンク制御情報ビットを有する制御チャネルの全て又は一部に対応する、一時的サーチ空間の、結合（ｕｎｉｏｎ）の、全てのＣＣＥｓであることを、又は、同じ数の下りリンク制御情報ビットを有する制御チャネルの全て又は一部に対応する、一時的サーチ空間の、結合（ｕｎｉｏｎ）の、ＣＣＥｓの一部であることを、決定するように構成された、実際のサーチ空間決定ユニット９０３とを含み、ここで、１つ以上の他のタイプの制御チャネルは、選択されたタイプの制御チャネルを除く、ＵＥによって現在監視される必要がある、かつ、同じＣＣＥアグリゲーションレベルである、制御チャネルのうちの、１つ以上のタイプの制御チャネルであり、同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【０１７０】
実際のサーチ空間決定ユニット９０３は、同じＣＣＥアグリゲーションレベルの制御チャネルについて、他の制御チャネルの、下りリンク制御情報ビットの数が、全て、選択されたタイプの制御チャネルの、下りリンク制御情報ビットの数と異なる場合、選択されたタイプの制御チャネルに対応する、実際のサーチ空間が、選択されたタイプの制御チャネルに対応する、一時的サーチ空間であることを決定するように、更に構成される。
【０１７１】
好ましくは、ＵＥは、下りリンク制御情報ビットの数の設定規則を保存するように構成された、制御情報ビット数設定規則保存ユニット９０４を更に含む。下りリンク制御情報ビットの数の設定規則は、複数のＤＣＩフォーマットの、下りリンク制御情報ビットの数が、同じであることを指定する規則である。制御情報ビット数決定ユニット９０１は、ＵＥによって現在監視される必要がある各タイプの制御チャネルの、下りリンク制御情報ビットの数を、下りリンク制御情報ビットの数の設定規則と、ＵＥによって現在監視される必要がある各タイプの制御チャネル上で運ばれるＤＣＩのフォーマットとに従って決定するように構成される。
【０１７２】
好ましくは、図９Ａに示すように、ユーザ装置は、データチャネルを運ぶためのコンポーネントキャリアと、制御チャネルを運ぶためのコンポーネントキャリアとの間のマッピング関係（ここで、マッピング関係は、ユーザ装置によって使用されるものである）を保存するように構成された、第１の保存ユニット９０５を更に含む。この場合、一時的サーチ空間決定ユニット９０２は、ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ユーザ装置によって使用されることが可能なものであり、かつ、第１の保存ユニット９０５によって保存されたものである）に従って決定するように構成される。
【０１７３】
あるいは、図９Ｂに示すように、ユーザ装置は、データチャネルを運ぶためのコンポーネントキャリアと、制御チャネルを運ぶためのコンポーネントキャリアとの間の、複数のマッピング関係（ここで、マッピング関係は、ＵＥによって現在使用されることが可能なものである）を保存するように構成された、第２の保存ユニット９０６と、ＮｏｄｅＢによって送信された、第１のマッピング関係指示情報を受信するように構成された、第１の受信ユニット９０７と（ここで、第１のマッピング関係指示情報は、データチャネルを運ぶためのコンポーネントキャリアと、制御チャネルを運ぶためのコンポーネントキャリアとの間の、複数のマッピング関係（ここで、マッピング関係は、ＵＥによって現在使用されることが可能なものである）から、ＮｏｄｅＢによって選択された、マッピング関係を指示するために使用されるものであり）、第２の保存ユニット９０６によって保存された、複数のマッピング関係と、第１のマッピング関係指示情報とに従って、データチャネルを運ぶためのコンポーネントキャリアと、制御チャネルを運ぶためのコンポーネントキャリアとの間のマッピング関係（ここで、マッピング関係は、ＵＥによって現在使用されるものである）を決定するように構成された、第１のマッピング関係決定ユニット９０８とを更に含む。この場合、一時的サーチ空間決定ユニット９０２は、ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ＵＥによって現在使用されるものであり、かつ、第１のマッピング関係決定ユニット９０８によって決定されたものである）に従って決定するように構成される。
【０１７４】
あるいは、図９Ｃに示すように、ＵＥは、マッピング規則を保存するように構成された、第３の保存ユニット９０９と（ここで、マッピング規則は、データチャネルを運ぶためのコンポーネントキャリアが、制御チャネルを運ぶことが可能である場合、データチャネルを運ぶためのコンポーネントキャリアと、制御チャネルを運ぶための、その、マッピングされたコンポーネントキャリアとは、同じコンポーネントキャリアである、及び、データチャネルを運ぶための上りリンクコンポーネントキャリアとペアリングされた下りリンクコンポーネントキャリアが、制御チャネルを運ぶことが可能である場合、データチャネルを運ぶための上りリンクコンポーネントキャリアと、制御チャネルを運ぶための、その、マッピングされたコンポーネントキャリアとは、同じコンポーネントキャリアペアのコンポーネントキャリアである、及び、データチャネルを運ぶための、異なるコンポーネントキャリア帯域幅レベルのコンポーネントキャリアは、制御チャネルを運ぶための、同じコンポーネントキャリアにマッピングされることはできない、及び、データチャネルを運ぶための、異なる伝送モードのコンポーネントキャリアは、制御チャネルを運ぶための、同じコンポーネントキャリアにマッピングされることはできない、及び、データチャネルを運ぶための、異なる周波数帯域のコンポーネントキャリアは、制御チャネルを運ぶための、同じコンポーネントキャリアにマッピングされることはできない、という規則のうちの少なくとも１つを含み）、ＮｏｄｅＢによって送信された、第２のマッピング関係指示情報を受信するように構成された、第２の受信ユニット９１０と（ここで、第２のマッピング関係指示情報は、データチャネルを運ぶためのコンポーネントキャリアと、制御チャネルを運ぶためのコンポーネントキャリアとの間のマッピング関係（ここで、マッピング関係は、標準によって予め規定されたマッピング規則の下で、ＵＥによって現在使用されるものである）を指示するために使用され）、第３の保存ユニット９０９によって保存されたマッピング規則に従って、データチャネルを運ぶためのコンポーネントキャリアと、制御チャネルを運ぶためのコンポーネントキャリアとの間の、複数のマッピング関係（ここで、マッピング関係は、マッピング規則の下で、現在使用されることが可能なものである）を決定するように、かつ、複数のマッピング関係と、第２のマッピング関係指示情報とに従って、データチャネルを運ぶためのコンポーネントキャリアと、制御チャネルを運ぶためのコンポーネントキャリアとの間のマッピング関係（ここで、マッピング関係は、ＵＥによって現在使用されるものである）を決定するように構成された、第２のマッピング関係決定ユニット９１１とを更に含む。この場合、一時的サーチ空間決定ユニット９０２は、ＵＥによって現在監視される必要がある各タイプの制御チャネルに対応する、一時的サーチ空間を、データチャネルを運ぶためのコンポーネントキャリアと、制御チャネルを運ぶためのコンポーネントキャリアとの間のマッピング関係（ここで、マッピング関係は、ＵＥによって現在使用されるものであり、かつ、第２のマッピング関係決定ユニット９１１によって決定されたものである）に従って決定するように構成される。
【０１７５】
本発明の実施形態５によれば、ＵＥによって現在監視される必要がある制御チャネルに対応する、一時的サーチ空間が、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的サーチ空間は、異なる可能性がある。ＵＥによって現在監視される必要がある、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際のサーチ空間は、同じ数の下りリンク制御情報ビットを有する制御チャネルの全て又は一部に対応する、一時的サーチ空間の、結合（ｕｎｉｏｎ）の、ＣＣＥｓの全てであることが、又は、同じ数の下りリンク制御情報ビットを有する制御チャネルの全て又は一部に対応する、一時的サーチ空間の、結合（ｕｎｉｏｎ）の、ＣＣＥｓの一部であることが、決定される。加えて、データチャネルを運ぶための、異なるコンポーネントキャリアに対応する、制御チャネルの、一時的サーチ空間は、異なる可能性があり、従って、結合（ｃｏｍｂｉｎｉｎｇ）の後、制御チャネルに対応するサーチ空間は、拡大される。従って、キャリアアグリゲーションシステムにおいて、制御チャネルに対応する、実際のサーチ空間内での、制御チャネルスケジューリングのブロッキング確率が減少し、ＵＥ側での、制御チャネルのブラインドデコーディングの数は増加しない。
【０１７６】
実施形態６
図１０Ａ、図１０Ｂ、及び／又は図１０Ｃを参照すると、本発明の実施形態６によって、ＮｏｄｅＢが提供され、これは、
ＵＥのために現在設定可能な各タイプの制御チャネルの、下りリンク制御情報ビットの数を決定するように構成された、制御情報ビット数決定ユニット１００１と、
ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ＵＥのために現在設定されているものである）に従って決定するように構成された、一時的候補制御チャネルリソース決定ユニット１００２と、
同じＣＣＥアグリゲーションレベルの制御チャネルについて、他の制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースが、同じ数の下りリンク制御情報ビットを有する制御チャネルの全て又は一部に対応する、一時的候補制御チャネルリソースの、結合（ｕｎｉｏｎ）の、全てのＣＣＥｓであることを、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることを、決定するように構成された、実際の候補制御チャネルリソース決定ユニット１００３とを含む。１つ以上の他のタイプの制御チャネルは、選択されたタイプの制御チャネルを除く、ＵＥのために現在設定可能である、かつ、同じＣＣＥアグリゲーションレベルである、制御チャネルのうちの、１つ以上のタイプの制御チャネルである。同じ数の下りリンク制御情報ビットを有する制御チャネルの全て又は一部は、１つ以上の他のタイプの制御チャネルと、選択されたタイプの制御チャネルとによって形成される、制御チャネルセットの、制御チャネルの全て又は一部である。
【０１７７】
実際の候補制御チャネルリソース決定ユニット１００３は、同じＣＣＥアグリゲーションレベルの制御チャネルについて、他の制御チャネルの、下りリンク制御情報ビットの数が、全て、選択されたタイプの制御チャネルの、下りリンク制御情報ビットの数と異なる場合、選択されたタイプの制御チャネルに対応する、実際の候補制御チャネルリソースが、選択されたタイプの制御チャネルに対応する、一時的候補制御チャネルリソースであることを決定するように、更に構成される。
【０１７８】
好ましくは、ＮｏｄｅＢは、下りリンク制御情報ビットの数の設定規則を保存するように構成された、制御情報ビット数設定規則保存ユニット１００４を更に含み、ここで、下りリンク制御情報ビットの数の設定規則は、複数のＤＣＩフォーマットの、下りリンク制御情報ビットの数が、同じであることを指定する規則である。制御情報ビット数決定ユニット１００１は、ＵＥのために現在設定可能な各タイプの制御チャネルの、下りリンク制御情報ビットの数を、下りリンク制御情報ビットの数の設定規則と、ＵＥのために現在設定可能な各タイプの制御チャネル上で運ばれる、ＤＣＩのフォーマットとに従って決定するように構成される。
【０１７９】
好ましくは、１０Ａに示すように、ＮｏｄｅＢは、データチャネルを運ぶためのコンポーネントキャリアと、制御チャネルを運ぶためのコンポーネントキャリアとの間のマッピング関係（ここで、マッピング関係は、ユーザ装置のために設定されているものである）を保存するように構成された、第１の保存ユニット１００５を更に含む。この場合、一時的候補制御チャネルリソース決定ユニット１００２は、ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ユーザ装置のために設定されることが可能なものであり、かつ、第１の保存ユニットによって保存されたものである）に従って決定するように構成される。
【０１８０】
好ましくは、図１０Ｂに示すように、ＮｏｄｅＢは、データチャネルを運ぶためのコンポーネントキャリアと、制御チャネルを運ぶためのコンポーネントキャリアとの間の、複数のマッピング関係（ここで、マッピング関係は、ＵＥのために現在設定可能なものである）を保存するように構成された、第２の保存ユニット１００６と、複数のマッピング関係から、マッピング関係を選択するように構成された、第１の選択ユニット１００７と、第１のマッピング関係指示情報を、ＵＥに送信するように構成された、第１の送信ユニット１００８とを更に含み、ここで、第１のマッピング関係指示情報は、データチャネルを運ぶためのコンポーネントキャリアと、制御チャネルを運ぶためのコンポーネントキャリアとの間の、複数のマッピング関係（ここで、マッピング関係は、ＵＥによって現在使用されることが可能なものである）から、ＮｏｄｅＢによって選択された、マッピング関係を指示するために使用されるものである。この場合、一時的候補制御チャネルリソース決定ユニット１００２は、ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ＵＥのために現在設定されているものであり、かつ、第１の選択ユニット１００６によって選択されたものである）に従って決定するように構成される。
【０１８１】
あるいは、図１０Ｃに示すように、ＮｏｄｅＢは、マッピング規則を保存するように構成された、第３の保存ユニット１００９と（ここで、マッピング規則は、データチャネルを運ぶためのコンポーネントキャリアが、制御チャネルを運ぶことが可能である場合、データチャネルを運ぶためのコンポーネントキャリアと、制御チャネルを運ぶための、その、マッピングされたコンポーネントキャリアとは、同じコンポーネントキャリアである、及び、データチャネルを運ぶための上りリンクコンポーネントキャリアとペアリングされた下りリンクコンポーネントキャリアが、制御チャネルを運ぶことが可能である場合、データチャネルを運ぶための上りリンクコンポーネントキャリアと、制御チャネルを運ぶための、その、マッピングされたコンポーネントキャリアとは、同じコンポーネントキャリアペアのコンポーネントキャリアである、及び、データチャネルを運ぶための、異なるコンポーネントキャリア帯域幅レベルのコンポーネントキャリアは、制御チャネルを運ぶための、同じコンポーネントキャリアにマッピングされることはできない、及び、データチャネルを運ぶための、異なる伝送モードのコンポーネントキャリアは、制御チャネルを運ぶための、同じコンポーネントキャリアにマッピングされることはできない、及び、データチャネルを運ぶための、異なる周波数帯域のコンポーネントキャリアは、制御チャネルを運ぶための、同じコンポーネントキャリアにマッピングされることはできない、という規則のうちの少なくとも１つを含み）、マッピング規則の下で、ＵＥのために設定可能な、データチャネルを運ぶためのコンポーネントキャリアと、制御チャネルを運ぶためのコンポーネントキャリアとの間の、複数のマッピング関係から、マッピング関係を選択するように構成された、第２の選択ユニット１０１０と、第２のマッピング関係指示情報を、ＵＥに送信するように構成された、第２の送信ユニット１０１１とを更に含み、ここで、第２のマッピング関係指示情報は、データチャネルを運ぶためのコンポーネントキャリアと、制御チャネルを運ぶためのコンポーネントキャリアとの間のマッピング関係（ここで、マッピング関係は、標準によって予め規定されたマッピング規則の下で、ＵＥのために現在設定可能なものである）を指示するように構成される。この場合、一時的候補制御チャネルリソース決定ユニット１００２は、ＵＥのために現在設定可能な各タイプの制御チャネルに対応する、一時的候補制御チャネルリソースを、データチャネルを運ぶためのコンポーネントキャリアと、制御チャネルを運ぶためのコンポーネントキャリアとの間のマッピング関係（ここで、マッピング関係は、ＵＥのために現在設定されているものであり、かつ、第２の選択ユニットによって選択されたものである）に従って決定するように構成される。
【０１８２】
本発明の実施形態６によれば、ＮｏｄｅＢ装置では、ＵＥのために現在設定可能な制御チャネルに対応する、一時的候補制御チャネルリソースが、データチャネルを運ぶためのコンポーネントキャリアと、制御チャネルを運ぶためのコンポーネントキャリアとの間のマッピング関係に従って決定され、従って、データチャネルを運ぶための、異なるコンポーネントキャリアに対応する、制御チャネルの、一時的候補制御チャネルリソースは、異なる可能性がある。ＵＥのために現在設定可能である、かつ、同じＣＣＥアグリゲーションレベルである、制御チャネルについて、１つ以上の他のタイプの制御チャネルの、下りリンク制御情報ビットの数が、選択されたタイプの制御チャネルの、下りリンク制御情報ビットの数と同じである場合、選択されたタイプの制御チャネルに対応する、実際の候補制御チャネルリソースは、同じ数の下りリンク制御情報ビットを有する制御チャネルの全て又は一部に対応する、一時的候補制御チャネルリソースの、結合（ｕｎｉｏｎ）の、ＣＣＥｓの全てであることが、又は、同じ数の下りリンク制御情報ビットを有する制御チャネルの全て又は一部に対応する、一時的候補制御チャネルリソースの、結合（ｕｎｉｏｎ）の、ＣＣＥｓの一部であることが、決定される。加えて、データチャネルを運ぶための、異なるコンポーネントキャリアに対応する、制御チャネルの、一時的候補制御チャネルリソースは、異なる可能性があり、従って、結合（ｃｏｍｂｉｎｉｎｇ）の後、制御チャネルに対応する候補制御チャネルリソースは、拡大される。従って、キャリアアグリゲーションシステムにおいて、制御チャネルに対応する、実際の候補制御チャネルリソース内での、制御チャネルスケジューリングのブロッキング確率が減少する。
【０１８３】
当業者は、本実施形態による方法のステップの全て又は一部が、関連するハードウェアに指示するプログラムによって実施されてもよいということを理解するであろう。プログラムは、読み取り専用メモリ、磁気ディスク、及び光ディスクなどの、コンピュータ読み取り可能な記憶媒体内に記憶されてもよい。
【０１８４】
本発明の実施形態による、サーチ空間及び候補制御チャネルリソースを決定する方法及び装置について、上記で詳細に述べた。本発明の原理及び実施について、特定の例を介して、本明細書中で説明した。本発明の実施形態に関する説明は、本発明の方法及び核となる概念の、理解を容易にするために使用されたにすぎない。当業者は、本発明の概念に従って、特定の実施及び適用範囲に関して、本発明に対して変形及び修正を行うことが可能である。従って、本明細書は、本発明を限定するものと解釈されるべきではない。
【図１】
2015180094.tif 000007
【図２】
2015180094.tif 000008
【図３】
2015180094.tif 000009
【図４】
2015180094.tif 000010
【図５】
2015180094.tif 000011
【図６】
2015180094.tif 000012
【図７】
2015180094.tif 000013
【図８】
2015180094.tif 000014
【図９Ａ】
2015180094.tif 000015
【図９Ｂ】
2015180094.tif 000016
【図９Ｃ】
2015180094.tif 000017
【図１０Ａ】
2015180094.tif 000018
【図１０Ｂ】
2015180094.tif 000019
【図１０Ｃ】
2015180094.tif 000020